(57)【特許請求の範囲】
【請求項１】
汎用データ転送プラットフォーム（ＧＴＰ）メッセージの送信を制御するための方法であって、
ＧＴＰメッセージ送信装置により、ＧＴＰメッセージ応答装置から送信されたユーザ機器の無応答時間指示を受信するステップであって、前記無応答時間指示は前記ユーザ機器の無応答時間を暗黙的または明示的に示し、前記ユーザ機器の前記無応答時間は、前記ユーザ機器がアイドル状態にあるときに設定された不連続受信（ＤＲＸ）期間であるか、または、前記ユーザ機器の電力節約状態が終了する時刻を示す、ステップと、
受信された前記ユーザ機器の無応答時間指示により示される前記ユーザ機器の前記無応答時間に従って前記ＧＴＰメッセージ送信装置により、ＧＴＰメッセージを送信する時刻を調節するステップと、
を含み、
前記ＧＴＰメッセージ送信装置により、前記ＧＴＰメッセージ応答装置から送信された前記ユーザ機器の前記無応答時間指示を受信するステップは、前記ＧＴＰメッセージ送信装置により、前記ＧＴＰメッセージ応答装置から送信されたダウンリンク・データ通知確認メッセージを受信するステップであって、前記ダウンリンク・データ通知確認メッセージは前記ユーザ機器の前記無応答時間指示を運搬する、ステップを含む、
方法。
【請求項２】
受信された前記ユーザ機器の無応答時間指示により示される前記ユーザ機器の前記無応答時間に従って前記ＧＴＰメッセージ送信装置により、前記ＧＴＰメッセージを送信する時刻を調節するステップは、前記ユーザ機器の前記無応答時間が終了する前に、前記ＧＴＰメッセージ送信装置により、前記ＧＴＰメッセージの送信を停止するステップを含む、
請求項１に記載のＧＴＰメッセージの送信を制御するための方法。
【請求項３】
前記ユーザ機器の前記無応答時間は無応答時間区間または無応答状態の終了時刻を含む、請求項１または２に記載のＧＴＰメッセージの送信を制御するための方法。
【請求項４】
汎用データ転送プラットフォーム（ＧＴＰ）メッセージ応答装置により、ユーザ機器の無応答時間指示を取得するステップであって、前記無応答時間指示は前記ユーザ機器の無応答時間を暗黙的または明示的に示し、前記ユーザ機器の前記無応答時間は、前記ユーザ機器がアイドル状態にあるときに設定された不連続受信（ＤＲＸ）期間であるか、または、前記ユーザ機器の電力節約状態が終了する時刻を示す、ステップと、
前記ＧＴＰメッセージ応答装置により、前記取得された前記ユーザ機器の無応答時間指示をＧＴＰメッセージ送信装置に送信するステップであって、その結果、前記ＧＴＰメッセージ送信装置が、受信された前記ユーザ機器の無応答時間指示により示される前記ユーザ機器の前記無応答時間に従って、ＧＴＰメッセージを送信する時刻を調節するステップと、
を含み、
前記ＧＴＰメッセージ応答装置により、前記取得された前記ユーザ機器の無応答時間指示を前記ＧＴＰメッセージ送信装置に送信するステップは、前記ＧＴＰメッセージ応答装置により、ダウンリンク・データ通知確認メッセージを前記ＧＴＰメッセージ送信装置に送信するステップであって、前記ダウンリンク・データ通知確認メッセージは前記ユーザ機器の前記無応答時間指示を運搬する、ステップを含む、
データ送信方法。
【請求項５】
前記ユーザ機器の前記無応答時間が終了する前に、前記ＧＴＰメッセージ送信装置により前記ＧＴＰメッセージの送信が停止される、請求項４に記載のデータ送信方法。
【請求項６】
ＧＴＰメッセージ応答装置から送信された、ユーザ機器の無応答時間指示を運搬するダウンリンク・データ通知確認メッセージを受信するように構成された受信器であって、前記無応答時間指示は前記ユーザ機器の無応答時間を暗黙的または明示的に示し、前記ユーザ機器の前記無応答時間は、前記ユーザ機器がアイドル状態にあるときに設定された不連続受信（ＤＲＸ）期間であるか、または、前記ユーザ機器の電力節約状態が終了する時刻を示す、受信器と、
前記受信器により受信された前記ユーザ機器の前記無応答時間指示により示される前記ユーザ機器の前記無応答時間に従って、ＧＴＰメッセージを送信する時刻を調節するように構成されたプロセッサと、
を備える、汎用データ転送プラットフォーム（ＧＴＰ）メッセージ送信装置。
【請求項７】
前記プロセッサは特に、前記ユーザ機器の前記無応答時間が終了する前に、前記ＧＴＰメッセージの送信を停止するステップを実施するように構成された、請求項６に記載のＧＴＰメッセージ送信装置。
【請求項８】
前記ユーザ機器の前記無応答時間は無応答時間区間または無応答状態の終了時刻を含む、請求項６または７に記載のＧＴＰメッセージ送信装置。
【請求項９】
ユーザ機器の無応答時間指示を取得するように構成された受信器であって、前記無応答時間指示は前記ユーザ機器の無応答時間を暗黙的または明示的に示し、前記ユーザ機器の前記無応答時間は、前記ユーザ機器がアイドル状態にあるときに設定された不連続受信（ＤＲＸ）期間であるか、または、前記ユーザ機器の電力節約状態が終了する時刻を示す、受信器と、
前記受信器により取得された前記ユーザ機器の前記無応答時間指示を運搬するダウンリンク・データ通知確認メッセージをＧＴＰメッセージ送信装置に送信するように構成された送信器であって、その結果、前記ＧＴＰメッセージ送信装置が、受信された前記ユーザ機器の無応答時間指示により示される前記ユーザ機器の前記無応答時間に従って、ＧＴＰメッセージを送信する時刻を調節する、送信器と、
を備える、汎用データ転送プラットフォーム（ＧＴＰ）メッセージ応答装置。
【請求項１０】
前記ユーザ機器の前記無応答時間が終了する前に、前記ＧＴＰメッセージ送信装置により前記ＧＴＰメッセージの送信が停止される、請求項９に記載のＧＴＰメッセージ応答装置。
【請求項１１】
コンピュータのプロセッサがコンピュータ実行可能命令を実行したときに、前記コンピュータが請求項１乃至３の何れか１項に記載の方法を実行するようにする前記コンピュータ実行可能命令を含む、コンピュータ可読記憶媒体。
【請求項１２】
コンピュータのプロセッサがコンピュータ実行可能命令を実行したときに、前記コンピュータは請求項４または５に記載の方法を実行するようにする前記コンピュータ実行可能命令を含む、コンピュータ可読記憶媒体。
【発明の詳細な説明】
【技術分野】
【０００１】
本発明は通信電子工学の分野に関し、特に、汎用データ転送プラットフォーム（ｇｅｎｅｒａｌ  ｄａｔａ  ｔｒａｎｓｆｅｒ  ｐｌａｔｆｏｒｍ、ＧＴＰ）メッセージの送信を制御するための方法および装置、ならびにデータ送信方法および装置に関する。
【背景技術】
【０００２】
ユーザ機器のアタッチ手続きにおけるセッション要求生成メッセージおよびセッション応答メッセージ生成、専用ベアラ起動手続きにおけるベアラ要求生成メッセージおよびベアラ応答生成メッセージは全て、汎用データ転送プラットフォーム（ｇｅｎｅｒａｌ  ｄａｔａ  ｔｒａｎｓｆｅｒ  ｐｌａｔｆｏｒｍ、ＧＴＰ）メッセージである（ＧＴＰメッセージはさらに、ベアラ要求応答更新、ベアラ要求応答削除等を含む）。ＧＴＰメッセージに関して、メッセージ再送機構は、メッセージの送信信頼性を保証するために使用される。即ち、（ベアラ要求生成のような）ＧＴＰメッセージを送信した後、ＧＴＰメッセージ送信装置は（その期間がＴ３−ＲＥＳＰＯＮＳＥである）再送タイマを開始し、当該再送タイマが切れたとき、ＧＴＰメッセージ送信装置が（ベアラ応答生成のような）対応する応答メッセージを受信しない場合、ＧＴＰメッセージ送信装置はＧＴＰメッセージを再送し、再送の時間量を記録するための再送カウンタを開始する。再送の時間量がＮ３−ＲＥＱＵＥＳＴＳより大きいとき、ＧＴＰメッセージ送信装置は経路故障が発生したと考え、当該故障に関する情報を記録し、対応するユーザ／ベアラ・コンテキストを削除するかまたは装置回復手続きを開始する（例えば、ＧＴＰメッセージ送信装置がサービング・ゲートウェイ（ｓｅｒｖｉｎｇ  ｇａｔｅｗａｙ、Ｓ−ＧＷ）であるとき、ユーザ機器の現在のＳ−ＧＷが変更される）。Ｔ３−ＲＥＳＰＯＮＳＥおよびＮ３−ＲＥＱＵＥＳＴＳをＧＴＰメッセージ送信装置で構成してもよい。
【０００３】
今日、ユーザ機器の電力を節約するために、ユーザ機器がアイドル状態にあるとき、電力の消費を削減するために不連続受信（ＤＲＸ）が使用される。各ページング・フレーム（ｐａｇｉｎｇ  ｆｒａｍｅ）は１つの無線フレーム（ｒａｄｉｏ  ｆｒａｍｅ）であり、複数のページング機会（ｐａｇｉｎｇ  ｏｃｃａｓｉｏｎｓ）を含んでもよい。ＤＲＸが使用されるとき、ユーザ機器は各ＤＲＸ期間において１つのページング機会のみを監視すればよく、それにより、ユーザ機器の電力を節約する目的が達成される。
【０００４】
別の電力節約方式は、ユーザ機器が電力節約状態に入り、この状態において、ユーザはもはやネットワーク側から送信された任意のシグナリングを監視せず、ユーザ機器が電力節約状態に入ったのを学習した後、ＭＭＥはもはやユーザ機器をページングしようとせず、ＭＭＥはユーザ機器が電力節約状態を出るまでユーザ機器のページングを開始しないというものである。ＭＭＥおよびユーザ機器が、構成またはシグナリング対話により、ユーザ機器が電力節約状態に入り当該状態を出る具体的な回数を決定してもよい。
【０００５】
上述の先行技術では、ＤＲＸ期間が相対的に長時間に設定されたとき、または、ユーザ機器が電力節約状態に長時間留まるとき、ＵＥが相対的に長時間、ページングに応答しないこととなる。かかる場合、開始されたページングがＧＴＰメッセージの受信に起因する場合（例えば、発展型パケット・システム（ｅｖｏｌｖｅｄ  ｐａｃｋｅｔ  ｓｙｓｔｅｍ、ＥＰＳ）無線ネットワーク・アーキテクチャのベアラ起動手続きでは、ユーザ機器がアイドル状態にある場合、ベアラ要求生成を受信した後、移動性管理エンティティ（ＭＭＥ）がユーザ機器のページングの手続きをトリガする）、（サービス要求手続きが終了するまでＭＭＥが応答メッセージをＳ−ＧＷに送信しないので）ページング装置がＧＴＰ応答メッセージを長時間送信しないこととなる。この場合、当該ベアラ要求生成を送信したパケット・データ・ネットワーク・ゲートウェイ（ｐａｃｋｅｔ  ｄａｔａ  ｎｅｔｗｏｒｋ  ｇａｔｅｗａｙ、Ｐ−ＧＷ）が応答メッセージを長時間送信しない場合、当該パケット・データ・ネットワーク・ゲートウェイは、再送カウンタのカウントがＮ３−ＲＥＱＵＥＳＴＳを超えるまで対応するベアラ要求生成メッセージを再送し、対応するユーザ／ベアラ・コンテキストを削除するかまたはノード回復手続きを開始する。この場合、設定されたＤＲＸ時間またはユーザ機器が電力節約状態に留まる時間のようなユーザの無応答時間が過度に長いとき、ユーザ機器のサービス割込みが生ずるかまたは不要な装置回復手続きが生じ、ネットワークのシグナリング過負荷につながる。
【発明の概要】
【課題を解決するための手段】
【０００６】
本発明の諸実施形態では、ＧＴＰメッセージの送信を制御するための方法、データ送信方法、ＧＴＰメッセージ送信装置、およびＧＴＰメッセージ応答装置を提供する。これらにより、ユーザの過度に長い無応答時間に起因するユーザ機器のサービス割込みまたはネットワーク上の不要な装置回復手続きが回避される。
【０００７】
本発明の諸実施形態の第１の態様では、ＧＴＰメッセージの送信を制御するための方法を提供する。当該方法は、ＧＴＰメッセージ送信装置により、ＧＴＰメッセージ応答装置から送信されたユーザ機器の無応答時間指示を受信するステップであって、当該無応答時間指示はユーザ機器の無応答時間を暗黙的または明示的に示すステップと、ＧＴＰメッセージ送信装置により、受信されたユーザ機器の無応答時間指示により示されるユーザ機器の無応答時間に従って、ＧＴＰメッセージを送信する時刻を調節するステップであって、ＧＴＰメッセージを送信する時刻を調節するステップは特に、ユーザ機器の無応答時間が増大したときＧＴＰメッセージを送信する時刻を延ばすことであるか、または、ユーザ機器の無応答時間が減少したとき、ＧＴＰメッセージを送信する時刻を早めることであるステップとを含む。
【０００８】
第１の態様を参照して、第１の可能な実装方式では、ＧＴＰメッセージ送信装置により、受信されたユーザ機器の無応答時間指示により示されるユーザ機器の無応答時間に従って、ＧＴＰメッセージを送信する時刻を調節するステップは、以下の方式の何れか１つを含む。
方式１：ＧＴＰメッセージ送信装置により、再送タイマの期間をユーザ機器の無応答時間の期間より大きくなるように調節すること。当該再送タイマの期間はＧＴＰメッセージ送信装置により実施されるＧＴＰメッセージの再送の期間である。
方式２：ＧＴＰメッセージ送信装置により、再送タイマの期間と再送カウンタの時間量閾値の積をユーザ機器の無応答時間の期間より大きくなるように調節すること。
方式３：ＧＴＰメッセージ送信装置により、ＧＴＰメッセージの再送を停止すること。
方式４：ユーザ機器の無応答時間が終了する前に、ＧＴＰメッセージ送信装置により、ＧＴＰメッセージの送信を停止すること。
【０００９】
第１の態様または第１の態様の第１の可能な実装方式を参照して、第２の可能な実装方式では、ＧＴＰメッセージ送信装置により、ＧＴＰメッセージ応答装置から送信されたユーザ機器の無応答時間指示を受信するステップは、ＧＴＰメッセージ送信装置により、ＧＴＰメッセージ応答装置から送信されたセッション要求生成メッセージを受信するステップであって、当該セッション要求生成メッセージはユーザ機器の無応答時間指示を運搬するステップ、または、ＧＴＰメッセージ送信装置により、ＧＴＰメッセージ応答装置から送信されたベアラ応答メッセージを受信するステップであって、当該ベアラ応答メッセージはユーザ機器の無応答時間指示を運搬し、当該ベアラ応答メッセージは、ベアラ応答生成メッセージ、ベアラ修正応答メッセージ、ベアラ停止応答メッセージ、およびベアラ応答削除メッセージのうち少なくとも１つを含むステップ、または、ＧＴＰメッセージ送信装置により、ＧＴＰメッセージ応答装置から送信されたダウンリンク・データ通知確認メッセージを受信するステップであって、当該ダウンリンク・データ通知確認メッセージはユーザ機器の無応答時間指示を運搬するステップを含む。
【００１０】
第１の態様の第２の可能な実装方式を参照して、第３の可能な実装方式では、ＧＴＰメッセージ送信装置がパケット・データ・ネットワーク・ゲートウェイ（Ｐ−ＧＷ）を備え、ＧＴＰメッセージ応答装置がサービング・ゲートウェイ（Ｓ−ＧＷ）を備えるか、または、ＧＴＰメッセージ送信装置がサービング・ゲートウェイ（Ｓ−ＧＷ）を備え、ＧＴＰメッセージ応答装置が移動性管理エンティティ（ＭＭＥ）を備える。
【００１１】
第１の態様または第１の態様の第１の可能な実装方式を参照して、第４の可能な実装方式では、ＧＴＰメッセージ送信装置により、ＧＴＰメッセージ応答装置から送信されたユーザ機器の無応答時間指示を受信するステップは、ＧＴＰメッセージ送信装置により、ＧＴＰメッセージ応答装置から送信されたパケット・データ・プロトコル・コンテキスト要求生成メッセージを受信するステップであって、当該パケット・データ・プロトコル・コンテキスト要求生成メッセージはユーザ機器の無応答時間指示を運搬するステップ、または、ＧＴＰメッセージ送信装置により、ＧＴＰメッセージ応答装置から送信されたパケット・データ・プロトコル・コンテキスト応答メッセージを受信するステップであって、当該パケット・データ・プロトコル・コンテキスト応答メッセージはユーザ機器の無応答時間指示を運搬し、当該パケット・データ・プロトコル・コンテキスト応答メッセージは、パケット・データ・プロトコル・コンテキスト応答更新メッセージおよびパケット・データ・プロトコル・コンテキスト応答削除メッセージのうち少なくとも１つを含むステップを含む。
【００１２】
第１の態様の第４の可能な実装方式を参照して、第５の可能な実装方式では、ＧＴＰメッセージ送信装置は、ゲートウェイ汎用パケット無線サービス（ＧＰＲＳ）サポート・ノード（ＧＧＳＮ）を含み、ＧＴＰメッセージ応答装置はサービスＧＰＲＳサポート・ノード（ＳＧＳＮ）を含む。
【００１３】
第１の態様および第１の態様の第１乃至第５の可能な実装方式の何れか１つを参照して、第６の可能な実装方式では、ユーザ機器の無応答時間は、無応答時間区間または無応答状態の終了時刻を含む。
【００１４】
本発明の諸実施形態の第２の態様ではデータ送信方法を提供する。当該方法が、ＧＴＰメッセージ応答装置により、ユーザ機器の無応答時間を取得するステップと、ＧＴＰメッセージ応答装置により、当該取得されたユーザ機器の無応答時間指示をＧＴＰメッセージ送信装置に送信するステップであって、当該無応答時間指示はユーザ機器の無応答時間を暗黙的または明示的に示すステップとを含んでもよい。その結果、ＧＴＰメッセージ送信装置は、受信されたユーザ機器の無応答時間指示により示されるユーザ機器の無応答時間に従って、ＧＴＰメッセージを送信する時刻を調節する。ＧＴＰメッセージを送信する時刻を調節するステップは特に、ユーザ機器の無応答時間が増大したときＧＴＰメッセージを送信する時刻を延ばすことであるか、または、ユーザ機器の無応答時間が減少したとき、ＧＴＰメッセージを送信する時刻を早めることである。
【００１５】
第２の態様を参照して、第１の可能な実装方式では、ＧＴＰメッセージ応答装置により、当該取得されたユーザ機器の無応答時間指示をＧＴＰメッセージ送信装置に送信するステップは、ＧＴＰメッセージ応答装置により、セッション要求生成メッセージをＧＴＰメッセージ送信装置に送信するステップであって、当該セッション要求生成メッセージはユーザ機器の無応答時間指示を運搬するステップ、または、ＧＴＰメッセージ応答装置により、ベアラ応答メッセージをＧＴＰメッセージ送信装置に送信するステップであって、当該ベアラ応答メッセージはユーザ機器の無応答時間指示を運搬し、当該ベアラ応答メッセージは、ベアラ応答生成メッセージ、ベアラ修正応答メッセージ、ベアラ停止応答メッセージ、およびベアラ応答削除メッセージのうち少なくとも１つを含むステップ、または、ＧＴＰメッセージ応答装置により、ダウンリンク・データ通知確認メッセージをＧＴＰメッセージ送信装置に送信するステップであって、当該ダウンリンク・データ通知確認メッセージはユーザ機器の無応答時間指示を運搬するステップを含む。
【００１６】
第２の態様の第１の可能な実装方式を参照して、第２の可能な実装方式では、ＧＴＰメッセージ送信装置がパケット・データ・ネットワーク・ゲートウェイ（Ｐ−ＧＷ）を備え、ＧＴＰメッセージ応答装置がサービング・ゲートウェイ（Ｓ−ＧＷ）を備えるか、または、ＧＴＰメッセージ送信装置がサービング・ゲートウェイ（Ｓ−ＧＷ）を備え、ＧＴＰメッセージ応答装置が移動性管理エンティティ（ＭＭＥ）を備える。
【００１７】
第２の態様を参照して、第３の可能な実装方式では、ＧＴＰメッセージ応答装置により、当該取得されたユーザ機器の無応答時間指示をＧＴＰメッセージ送信装置に送信するステップは、ＧＴＰメッセージ応答装置により、パケット・データ・プロトコル・コンテキスト要求生成メッセージをＧＴＰメッセージ送信装置に送信するステップであって、当該パケット・データ・プロトコル・コンテキスト要求生成メッセージはユーザ機器の無応答時間指示を運搬するステップ、または、ＧＴＰメッセージ応答装置により、パケット・データ・プロトコル・コンテキスト応答メッセージをＧＴＰメッセージ送信装置に送信するステップであって、当該パケット・データ・プロトコル・コンテキスト応答メッセージはユーザ機器の無応答時間指示を運搬し、当該パケット・データ・プロトコル・コンテキスト応答メッセージは、パケット・データ・プロトコル・コンテキスト応答更新メッセージおよびパケット・データ・プロトコル・コンテキスト応答削除メッセージのうち少なくとも１つを含むステップを含む。
【００１８】
第２の態様の第３の可能な実装方式を参照して、第４の可能な実装方式では、ＧＴＰメッセージ送信装置は、ゲートウェイＧＰＲＳサポート・ノード（ＧＧＳＮ）を含み、ＧＴＰメッセージ応答装置はサービスＧＰＲＳサポート・ノード（ＳＧＳＮ）を含む。
【００１９】
本発明の諸実施形態の第３の態様ではＧＴＰメッセージ送信装置を提供する。当該装置が、ＧＴＰメッセージ応答装置から送信されたユーザ機器の無応答時間指示を受信するように構成された受信モジュールであって、当該無応答時間指示はユーザ機器の無応答時間を暗黙的または明示的に示す受信モジュールと、当該受信モジュールにより受信されたユーザ機器の無応答時間指示により示されるユーザ機器の無応答時間に従って、ＧＴＰメッセージを送信する時刻を調節するように構成された調節モジュールであって、ＧＴＰメッセージを送信する時刻を調節するステップは特に、ユーザ機器の無応答時間が増大したときＧＴＰメッセージを送信する時刻を延ばすことであるか、または、ユーザ機器の無応答時間が減少したとき、ＧＴＰメッセージを送信する時刻を早めることである調節モジュールとを備えてもよい。
【００２０】
第３の態様を参照して、第１の可能な実装方式では、当該調節モジュールは、ユーザ機器の無応答時間の期間より大きくなるように再送タイマの期間を調節するように構成された第１の調節モジュールであって、当該再送タイマの期間はＧＴＰメッセージ送信装置により実施されるＧＴＰメッセージの再送の期間である第１の調節モジュールと、ユーザ機器の無応答時間の期間より大きくなるように再送タイマの期間と再送カウンタの時間量閾値の積を調節するように構成された第２の調節モジュールと、当該ＧＴＰメッセージの再送を停止するように構成された第３の調節モジュールと、ユーザ機器の無応答時間が終了する前に、当該ＧＴＰメッセージの送信を停止するように構成された第４の調節モジュールとのうち少なくとも１つを備える。
【００２１】
第３の態様または第３の態様の第１の可能な実装方式を参照して、第２の可能な実装方式では、当該受信モジュールは特に、ＧＴＰメッセージ応答装置から送信されたセッション要求生成メッセージを受信するように構成される。当該セッション要求生成メッセージはユーザ機器の無応答時間指示を運搬するか、または、ＧＴＰメッセージ応答装置から送信されたベアラ応答メッセージを受信し、当該ベアラ応答メッセージはユーザ機器の無応答時間指示を運搬し、当該ベアラ応答メッセージは、ベアラ応答生成メッセージ、ベアラ修正応答メッセージ、ベアラ停止応答メッセージ、およびベアラ応答削除メッセージのうち少なくとも１つを含むか、または、ＧＴＰメッセージ応答装置から送信されたダウンリンク・データ通知確認メッセージを受信し、当該ダウンリンク・データ通知確認メッセージはユーザ機器の無応答時間指示を運搬する。
【００２２】
第３の態様の第２の可能な実装方式を参照して、第３の可能な実装方式では、ＧＴＰメッセージ送信装置がパケット・データ・ネットワーク・ゲートウェイ（Ｐ−ＧＷ）を備え、ＧＴＰメッセージ応答装置がサービング・ゲートウェイ（Ｓ−ＧＷ）を備えるか、または、ＧＴＰメッセージ送信装置がサービング・ゲートウェイ（Ｓ−ＧＷ）を備え、ＧＴＰメッセージ応答装置が移動性管理エンティティ（ＭＭＥ）を備える。
【００２３】
第３の態様または第３の態様の第１の可能な実装方式を参照して、第４の可能な実装方式では、当該受信モジュールは特に、ＧＴＰメッセージ応答装置から送信されたパケット・データ・プロトコル・コンテキスト要求生成メッセージを受信するように構成される。当該パケット・データ・プロトコル・コンテキスト要求生成メッセージはユーザ機器の無応答時間指示を運搬するか、または、ＧＴＰメッセージ応答装置から送信されたパケット・データ・プロトコル・コンテキスト応答メッセージを受信する。当該パケット・データ・プロトコル・コンテキスト応答メッセージはユーザ機器の無応答時間指示を運搬し、当該パケット・データ・プロトコル・コンテキスト応答メッセージは、パケット・データ・プロトコル・コンテキスト応答更新メッセージおよびパケット・データ・プロトコル・コンテキスト応答削除メッセージのうち少なくとも１つを含む。
【００２４】
第３の態様の第４の可能な実装方式を参照して、第５の可能な実装方式では、ＧＴＰメッセージ送信装置は、ゲートウェイＧＰＲＳサポート・ノード（ＧＧＳＮ）を含み、ＧＴＰメッセージ応答装置はサービスＧＰＲＳサポート・ノード（ＳＧＳＮ）を含む。
【００２５】
第３の態様および第３の態様の第１乃至第５の可能な実装方式の何れか１つを参照して、第６の可能な実装方式では、ユーザ機器の無応答時間は、無応答時間区間または無応答状態の終了時刻を含む。
【００２６】
本発明の諸実施形態の第４の態様ではＧＴＰメッセージ応答装置を提供する。当該装置は、ユーザ機器の無応答時間指示を取得するように構成された取得モジュールと、当該取得されたユーザ機器の無応答時間指示をＧＴＰメッセージ送信装置に送信するように構成された送信モジュールであって、当該無応答時間指示はユーザ機器の無応答時間を暗黙的または明示的に示し、その結果、ＧＴＰメッセージ送信装置が、受信されたユーザ機器の無応答時間指示により示されるユーザ機器の無応答時間に従って、ＧＴＰメッセージを送信する時刻を調節する、送信モジュールとを備える。ＧＴＰメッセージを送信する時刻を調節するステップは特に、ユーザ機器の無応答時間が増大したときＧＴＰメッセージを送信する時刻を延ばすことであるか、または、ユーザ機器の無応答時間が減少したとき、ＧＴＰメッセージを送信する時刻を早めることである。
【００２７】
第４の態様を参照して、第１の可能な実装方式では、当該送信モジュールは特に、セッション要求生成メッセージをＧＴＰメッセージ送信装置に送信するように構成される。当該セッション要求生成メッセージはユーザ機器の無応答時間指示を運搬するか、または、ベアラ応答メッセージをＧＴＰメッセージ送信装置に送信し、当該ベアラ応答メッセージはユーザ機器の無応答時間指示を運搬し、当該ベアラ応答メッセージは、ベアラ応答生成メッセージ、ベアラ修正応答メッセージ、ベアラ停止応答メッセージ、およびベアラ応答削除メッセージのうち少なくとも１つを含むか、または、ダウンリンク・データ通知確認メッセージをＧＴＰメッセージ送信装置に送信し、当該ダウンリンク・データ通知確認メッセージはユーザ機器の無応答時間指示を運搬する。
【００２８】
第４の態様の第１の可能な実装方式を参照して、第２の可能な実装方式では、ＧＴＰメッセージ送信装置がパケット・データ・ネットワーク・ゲートウェイ（Ｐ−ＧＷ）を備え、ＧＴＰメッセージ応答装置がサービング・ゲートウェイ（Ｓ−ＧＷ）を備えるか、または、ＧＴＰメッセージ送信装置がサービング・ゲートウェイ（Ｓ−ＧＷ）を備え、ＧＴＰメッセージ応答装置が移動性管理エンティティ（ＭＭＥ）を備える。
【００２９】
第４の態様を参照して、第３の可能な実装方式では、当該送信モジュールは特に、パケット・データ・プロトコル・コンテキスト要求生成メッセージをＧＴＰメッセージ送信装置に送信するように構成される。当該パケット・データ・プロトコル・コンテキスト要求生成メッセージはユーザ機器の無応答時間指示を運搬するか、または、パケット・データ・プロトコル・コンテキスト応答メッセージをＧＴＰメッセージ送信装置に送信し、当該パケット・データ・プロトコル・コンテキスト応答メッセージはユーザ機器の無応答時間指示を運搬し、当該パケット・データ・プロトコル・コンテキスト応答メッセージは、パケット・データ・プロトコル・コンテキスト応答更新メッセージおよびパケット・データ・プロトコル・コンテキスト応答削除メッセージのうち少なくとも１つを含む。
【００３０】
第４の態様の第３の可能な実装方式を参照して、第４の可能な実装方式では、ＧＴＰメッセージ送信装置はゲートウェイＧＰＲＳサポート・ノード（ＧＧＳＮ）を含み、ＧＴＰメッセージ応答装置はサービスＧＰＲＳサポート・ノード（ＳＧＳＮ）を含む。
【００３１】
本発明の諸実施形態の第５の態様ではＧＴＰメッセージ送信装置を提供する。当該装置が、ＧＴＰメッセージ応答装置から送信されたユーザ機器の無応答時間指示を受信するように構成された受信器であって、当該無応答時間指示はユーザ機器の無応答時間を暗黙的または明示的に示す受信器と、当該受信器により受信されたユーザ機器の無応答時間指示により示されるユーザ機器の無応答時間に従って、ＧＴＰメッセージを送信する時刻を調節するように構成されたプロセッサであって、ＧＴＰメッセージを送信する時刻を調節するステップは特に、ユーザ機器の無応答時間が増大したときＧＴＰメッセージを送信する時刻を延ばすことであるか、または、ユーザ機器の無応答時間が減少したとき、ＧＴＰメッセージを送信する時刻を早めることであるプロセッサとを備えてもよい。
【００３２】
第５の態様を参照して、第１の可能な実装方式では、当該プロセッサは特に、ユーザ機器の無応答時間の期間より大きくなるように再送タイマの期間を調節するステップであって、当該再送タイマの期間はＧＴＰメッセージ送信装置により実施されるＧＴＰメッセージの再送の期間であるステップと、ユーザ機器の無応答時間の期間より大きくなるように再送タイマの期間と再送カウンタの時間量閾値の積を調節するステップと、当該ＧＴＰメッセージの再送を停止するステップと、ユーザ機器の無応答時間が終了する前に、当該ＧＴＰメッセージの送信を停止するステップとの何れか１つを実施するように構成される。
【００３３】
第５の態様または第５の態様の第１の可能な実装方式を参照して、第２の可能な実装方式では、当該受信器は特に、ＧＴＰメッセージ応答装置から送信されたセッション要求生成メッセージを受信するように構成される。当該セッション要求生成メッセージはユーザ機器の無応答時間指示を運搬するか、または、ＧＴＰメッセージ応答装置から送信されたベアラ応答メッセージを受信し、当該ベアラ応答メッセージはユーザ機器の無応答時間指示を運搬し、当該ベアラ応答メッセージは、ベアラ応答生成メッセージ、ベアラ修正応答メッセージ、ベアラ停止応答メッセージ、およびベアラ応答削除メッセージのうち少なくとも１つを含むか、または、ＧＴＰメッセージ応答装置から送信されたダウンリンク・データ通知確認メッセージを受信する。当該ダウンリンク・データ通知確認メッセージはユーザ機器の無応答時間指示を運搬する。
【００３４】
第５の態様の第２の可能な実装方式を参照して、第３の可能な実装方式では、ＧＴＰメッセージ送信装置がパケット・データ・ネットワーク・ゲートウェイ（Ｐ−ＧＷ）を備え、ＧＴＰメッセージ応答装置がサービング・ゲートウェイ（Ｓ−ＧＷ）を備えるか、または、ＧＴＰメッセージ送信装置がサービング・ゲートウェイ（Ｓ−ＧＷ）を備え、ＧＴＰメッセージ応答装置が移動性管理エンティティ（ＭＭＥ）を備える。
【００３５】
第５の態様または第５の態様の第１の可能な実装方式を参照して、第４の可能な実装方式では、当該受信器は特に、ＧＴＰメッセージ応答装置から送信されたパケット・データ・プロトコル・コンテキスト要求生成メッセージを受信するように構成される。当該パケット・データ・プロトコル・コンテキスト要求生成メッセージはユーザ機器の無応答時間指示を運搬するか、または、ＧＴＰメッセージ応答装置から送信されたパケット・データ・プロトコル・コンテキスト応答メッセージを受信する。当該パケット・データ・プロトコル・コンテキスト応答メッセージはユーザ機器の無応答時間指示を運搬し、当該パケット・データ・プロトコル・コンテキスト応答メッセージは、パケット・データ・プロトコル・コンテキスト応答更新メッセージおよびパケット・データ・プロトコル・コンテキスト応答削除メッセージのうち少なくとも１つを含む。
【００３６】
第５の態様の第４の可能な実装方式を参照して、第５の可能な実装方式では、ＧＴＰメッセージ送信装置は、ゲートウェイＧＰＲＳサポート・ノード（ＧＧＳＮ）を含み、ＧＴＰメッセージ応答装置はサービスＧＰＲＳサポート・ノード（ＳＧＳＮ）を含む。
【００３７】
第５の態様および第５の態様の第１乃至第５の可能な実装方式の何れか１つを参照して、第６の可能な実装方式では、ユーザ機器の無応答時間は、無応答時間区間または無応答状態の終了時刻を含む。
【００３８】
本発明の諸実施形態の第６の態様ではＧＴＰメッセージ応答装置を提供する。当該装置が、ユーザ機器の無応答時間指示を取得するように構成された受信器と、当該受信器により取得されたユーザ機器の無応答時間指示をＧＴＰメッセージ送信装置に送信するように構成された送信器であって、当該無応答時間指示はユーザ機器の無応答時間を暗黙的または明示的に示し、その結果、ＧＴＰメッセージ送信装置が、受信されたユーザ機器の無応答時間指示により示されるユーザ機器の無応答時間に従って、ＧＴＰメッセージを送信する時刻を調節する。ＧＴＰメッセージを送信する時刻を調節するステップは特に、ユーザ機器の無応答時間が増大したときＧＴＰメッセージを送信する時刻を延ばすことであるか、または、ユーザ機器の無応答時間が減少したとき、ＧＴＰメッセージを送信する時刻を早めることである送信器とを備えてもよい。
【００３９】
第６の態様を参照して、第１の可能な実装方式では、当該送信器は特に、セッション要求生成メッセージをＧＴＰメッセージ送信装置に送信するように構成される。当該セッション要求生成メッセージはユーザ機器の無応答時間指示を運搬するか、または、ベアラ応答メッセージをＧＴＰメッセージ送信装置に送信し、当該ベアラ応答メッセージはユーザ機器の無応答時間指示を運搬し、当該ベアラ応答メッセージは、ベアラ応答生成メッセージ、ベアラ修正応答メッセージ、ベアラ停止応答メッセージ、およびベアラ応答削除メッセージのうち少なくとも１つを含むか、または、ダウンリンク・データ通知確認メッセージをＧＴＰメッセージ送信装置に送信する。当該ダウンリンク・データ通知確認メッセージはユーザ機器の無応答時間指示を運搬する。
【００４０】
第６の態様の第１の可能な実装方式を参照して、第２の可能な実装方式では、ＧＴＰメッセージ送信装置がパケット・データ・ネットワーク・ゲートウェイ（Ｐ−ＧＷ）を備え、ＧＴＰメッセージ応答装置がサービング・ゲートウェイ（Ｓ−ＧＷ）を備えるか、または、ＧＴＰメッセージ送信装置がサービング・ゲートウェイ（Ｓ−ＧＷ）を備え、ＧＴＰメッセージ応答装置が移動性管理エンティティ（ＭＭＥ）を備える。
【００４１】
第６の態様を参照して、第３の可能な実装方式では、当該送信器は特に、パケット・データ・プロトコル・コンテキスト要求生成メッセージをＧＴＰメッセージ送信装置に送信するように構成される。当該パケット・データ・プロトコル・コンテキスト要求生成メッセージはユーザ機器の無応答時間指示を運搬するか、または、パケット・データ・プロトコル・コンテキスト応答メッセージをＧＴＰメッセージ送信装置に送信する。当該パケット・データ・プロトコル・コンテキスト応答メッセージはユーザ機器の無応答時間指示を運搬し、当該パケット・データ・プロトコル・コンテキスト応答メッセージは、パケット・データ・プロトコル・コンテキスト応答更新メッセージおよびパケット・データ・プロトコル・コンテキスト応答削除メッセージのうち少なくとも１つを含む。
【００４２】
第６の態様の第３の可能な実装方式を参照して、第４の可能な実装方式では、ＧＴＰメッセージ送信装置は、ゲートウェイＧＰＲＳサポート・ノード（ＧＧＳＮ）を含み、ＧＴＰメッセージ応答装置はサービスＧＰＲＳサポート・ノード（ＳＧＳＮ）を含む。
【００４３】
本発明の第７の態様ではコンピュータ可読媒体を提供する。当該コンピュータ可読媒体がコンピュータ実行可能命令を含んでもよい。その結果、コンピュータのプロセッサが当該コンピュータ実行可能命令を実行したときに、当該コンピュータが本発明に従うＧＴＰメッセージの送信を制御するための上述の方法を実行する。
【００４４】
本発明の第８の態様ではコンピュータ可読媒体を提供する。当該コンピュータ可読媒体がコンピュータ実行可能命令を含んでもよい。その結果、コンピュータのプロセッサが当該コンピュータ実行可能命令を実行したときに、当該コンピュータは、本発明に従う上述のデータ送信方法を実行する。
【００４５】
以上から分かるように、本発明の諸実施形態では、ＧＴＰメッセージ送信装置が、ＧＴＰメッセージ応答装置から送信されたユーザ機器の無応答時間時間を受信し、ＧＴＰメッセージ送信装置が、ユーザ機器の受信した無応答時間指示により示されたユーザ機器の無応答時間に従って、ＧＴＰメッセージ送信装置により、ＧＴＰメッセージを送信する戦略を調節する。その結果、ＧＴＰメッセージ送信装置が当該ＧＴＰメッセージを送信するための時刻はユーザ機器の無応答時間が増大するにつれ延期され、または、ユーザ機器の無応答時間が減少するにつれ早められる。このように、ユーザ機器の無応答時間が終了する前に、故障検出機構はトリガされず、ユーザ機器のサービスは割り込まれないかまたはＧＴＰメッセージ送信装置の回復は実施されないことが保証され、それにより、ユーザの過度に長い無応答時間に起因するネットワーク上でのユーザ機器のサービス割込みまたは不要な装置回復手続きが回避される。
【００４６】
本発明の諸実施形態における技術的解決策をより明確に説明するために、以下では当該実施形態を説明するのに必要な添付図面を簡単に説明する。明らかに、以下の説明における添付図面は本発明の幾つかの実施形態を示すにすぎず、当業者は創造的作業なしにこれらの添付図面から他の図面を導出することができる。
【図面の簡単な説明】
【００４７】
【図１】本発明に従うＧＴＰメッセージの送信を制御するための方法の１実施形態の略流れ図である。
【図２】本発明の１実施形態従うＧＴＰメッセージ送信装置の１実施形態の略構造的構成図である。
【図３】図２の調節モジュールの１実施形態の略構造的構成図である。
【図４】本発明に従うＧＴＰメッセージ送信装置の別の実施形態の略構造的構成図である。
【図５】本発明に従うデータ送信方法の１実施形態の略流れ図である。
【図６】本発明に従うＧＴＰメッセージ応答装置の１実施形態の略構造的構成図である。
【図７】本発明に従うＧＴＰメッセージ応答装置の別の実施形態の略構造的構成図である。
【図８】ＭＭＥにより、アタッチ手続きを用いることによりユーザ機器の無応答時間を送信するステップの略流れ図である。
【図９】ＭＭＥにより、アタッチ手続きを用いることによりユーザ機器の無応答時間を送信するステップの別の略流れ図である。
【図１０】ＭＭＥにより、ベアラ起動手続きを用いることによりユーザ機器の無応答時間を送信するステップの略流れ図である。
【図１１】ＭＭＥにより、ネットワークトリガ式サービス要求手続きを用いることによりユーザ機器の無応答時間を送信するステップの略流れ図である。
【図１２】ＳＧＳＮにより、パケット・データ・プロトコルＰＤＰ要求手続きを用いることによりユーザ機器の無応答時間を送信するステップの略流れ図である。
【図１３】ＳＧＳＮにより、パケット・データ・プロトコルＰＤＰ要求手続きを用いることによりユーザ機器の無応答時間を送信するステップの別の略流れ図である。
【発明を実施するための形態】
【００４８】
以下で、本発明の諸実施形態における添付図面を参照して本発明の諸実施形態における技術的解決策を明確に説明する。明らかに、説明する実施形態は本発明の諸実施形態の全部ではなく一部にすぎない。当業者が創造的作業なしに本発明の諸実施形態に基づいて得る他の全ての実施形態は本発明の保護範囲に入るものとする。
【００４９】
図１は、本発明に従うＧＴＰメッセージの送信を制御するための方法の１実施形態の略流れ図である。図１に示すように、ＧＴＰメッセージの送信を制御するための方法が以下のステップを含んでもよい。
【００５０】
ステップＳ１１０：ＧＴＰメッセージ送信装置がＧＴＰメッセージ応答装置から送信されたユーザ機器の無応答時間指示を受信する。当該無応答時間指示はユーザ機器の無応答時間を暗黙的または明示的に示す。
【００５１】
具体的な実装では、当該無応答時間指示がユーザ機器の無応答時間を暗黙的な方式で示してもよい。例えば、ユーザ機器の無応答時間は事前設定された識別子を用いることにより示され、当該識別子をＧＴＰメッセージ応答装置から受信すると、当該ＧＴＰメッセージ送信装置がユーザ機器の、当該識別子に対応する無応答時間を知っていてもよい。
【００５２】
具体的な実装では、当該無応答時間指示がユーザ機器の無応答時間を明示的な方式で示してもよい。ＧＴＰメッセージ応答装置がユーザ機器の無応答時間をＧＴＰメッセージ送信装置に直接報告する。
【００５３】
具体的な実装では、本発明の当該実施形態におけるユーザ機器の無応答時間は無応答時間区間または無応答状態の終了時刻を含んでもよい。例えば、当該無応答時間がユーザ機器がアイドル状態にあるときに設定されたＤＲＸ期間（例えば、３０分）であってもよく、または、当該無応答時間がユーザ機器の電力節約状態が終了する時刻（例えば、９：００）であってもよい。
【００５４】
幾つかの実現可能な実装方式では、本発明の当該実施形態におけるＧＴＰメッセージ送信装置がパケット・データ・ネットワーク・ゲートウェイ（Ｐ−ＧＷ）を備えてもよく、この場合、ＧＴＰメッセージ応答装置はサービング・ゲートウェイ（Ｓ−ＧＷ）を備える。または、ＧＴＰメッセージ送信装置がサービング・ゲートウェイ（Ｓ−ＧＷ）を備えてもよく、この場合、ＧＴＰメッセージ応答装置は移動性管理エンティティ（ＭＭＥ）を備える。次いで、ステップＳ１１０で、ＧＴＰメッセージ送信装置がＧＴＰメッセージ応答装置から送信されたセッション要求生成メッセージを受信し、当該セッション要求生成メッセージはユーザ機器の無応答時間指示を運搬するか、または、ＧＴＰメッセージ送信装置がＧＴＰメッセージ応答装置から送信されたベアラ応答メッセージを受信し、当該ベアラ応答メッセージはユーザ機器の無応答時間指示を運搬し、当該ベアラ応答メッセージは、ベアラ応答生成メッセージ、ベアラ修正応答メッセージ、ベアラ停止応答メッセージ、およびベアラ応答削除メッセージのうち少なくとも１つを含むか、または、ＧＴＰメッセージ送信装置がＧＴＰメッセージ応答装置から送信されたダウンリンク・データ通知確認メッセージを受信し、当該ダウンリンク・データ通知確認メッセージはユーザ機器の無応答時間指示を運搬する。ＧＴＰメッセージ送信装置がパケット・データ・ネットワーク・ゲートウェイ（Ｐ−ＧＷ）を含んでもよく、ＧＴＰメッセージ応答装置はサービング・ゲートウェイ（Ｓ−ＧＷ）を備えるとき、Ｐ−ＧＷは、セッション要求生成メッセージ、ベアラ応答メッセージ、ベアラ応答生成メッセージ、ベアラ修正応答メッセージ、ベアラ停止応答メッセージ、またはベアラ応答削除メッセージをＳ−ＧＷから受信するとき、ユーザ機器の無応答時間指示をＳ−ＧＷから受信してもよい。ＧＴＰメッセージ送信装置がサービング・ゲートウェイ（Ｓ−ＧＷ）を含んでもよく、ＧＴＰメッセージ応答装置は移動性管理エンティティ（ＭＭＥ）を備えるとき、Ｓ−ＧＷが、セッション要求生成メッセージ、ベアラ応答メッセージ、ベアラ応答生成メッセージ、ベアラ修正応答メッセージ、ベアラ停止応答メッセージ、またはベアラ応答削除メッセージをＭＭＥから受信するとき、ユーザ機器の無応答時間指示をＭＭＥから受信してもよい。
【００５５】
幾つかの実現可能な実装方式では、本発明の当該実施形態におけるＧＴＰメッセージ送信装置がゲートウェイＧＰＲＳサポート・ノード（ＧＧＳＮ）を含んでもよく、この場合、ＧＴＰメッセージ応答装置はサービスＧＰＲＳサポート・ノード（ＳＧＳＮ）を含む。次いで、ステップＳ１１０で、ＧＴＰメッセージ送信装置がＧＴＰメッセージ応答装置から送信されたパケット・データ・プロトコル・コンテキスト要求生成メッセージを受信する。当該パケット・データ・プロトコル・コンテキスト要求生成メッセージはユーザ機器の無応答時間指示を運搬するか、または、ＧＴＰメッセージ送信装置がＧＴＰメッセージ応答装置から送信されたパケット・データ・プロトコル・コンテキスト応答メッセージを受信する。当該パケット・データ・プロトコル・コンテキスト応答メッセージはユーザ機器の無応答時間指示を運搬し、当該パケット・データ・プロトコル・コンテキスト応答メッセージは、パケット・データ・プロトコル・コンテキスト応答更新メッセージおよびパケット・データ・プロトコル・コンテキスト応答削除メッセージのうち少なくとも１つを含む。ＧＴＰメッセージ送信装置は、ゲートウェイＧＰＲＳサポート・ノード（ＧＧＳＮ）を含み、ＧＴＰメッセージ応答装置はサービスＧＰＲＳサポート・ノード（ＳＧＳＮ）を含むとき、当該ＧＧＳＮが、パケット・データ・プロトコル・コンテキスト要求生成メッセージ、またはパケット・データ・プロトコル・コンテキスト応答更新メッセージ、またはパケット・データ・プロトコル・コンテキスト応答削除メッセージをＳＧＳＮから受信するときに、ユーザ機器の無応答時間指示をＳＧＳＮから受信してもよい。
【００５６】
ステップＳ１１１：ＧＴＰメッセージ送信装置が、受信されたユーザ機器の無応答時間指示により示されるユーザ機器の無応答時間に従って、ＧＴＰメッセージを送信する時刻を調節する。ＧＴＰメッセージを送信する時刻を調節するステップは特に、ユーザ機器の無応答時間が増大したときＧＴＰメッセージを送信する時刻を延ばすことであるか、または、ユーザ機器の無応答時間が減少したとき、ＧＴＰメッセージを送信する時刻を早めることである。
【００５７】
具体的な実装では、ステップＳ１１１では、ＧＴＰメッセージ送信装置が、受信されたユーザ機器の無応答時間指示により示されるユーザ機器の無応答時間に従ってＧＴＰメッセージを送信する時刻を調節することは以下の方式の何れか１つを含む。
【００５８】
方式１：ＧＴＰメッセージ送信装置は、（その期間がＴ３−ＲＥＳＰＯＮＳＥである）再送タイマの期間がユーザ機器の無応答時間の期間より大きいように調節する。当該再送タイマの期間はＧＴＰメッセージ送信装置により実施されるＧＴＰメッセージの再送の期間である。例えば、ベアラ要求生成メッセージ（ｃｒｅａｔｅ  ｂｅａｒｅｒ  ｒｅｑｕｅｓｔ）をＳ−ＧＷに送信した後、Ｐ−ＧＷが計時を開始するために再送タイマを設定すると仮定すると、当該再送タイマの期間に到達したとき、Ｐ−ＧＷがベアラ応答生成メッセージ（ｃｒｅａｔｅ  ｂｅａｒｅｒ  ｒｅｓｐｏｎｓｅ）をＳ−ＧＷから受信していない場合には、Ｐ−ＧＷは送信されたベアラ要求生成メッセージを再送する。本発明の当該実施形態では、ＧＴＰメッセージ送信装置の再送タイマの期間は、ユーザ機器の無応答時間に従って可変に設定され、ユーザ機器の無応答時間よりも長く設定される（本発明の当該実施形態では、ＧＴＰメッセージ送信装置がＧＴＰメッセージを送信するための時刻はユーザ機器の無応答時間が増大するにつれ延期されるか、または、ユーザ機器の無応答時間が減少するにつれ早められる。特に、無応答時間が増大すると、ＧＴＰメッセージを送信する時刻はユーザ機器の無応答時間が増大するにつれ延期される）。次いで、ユーザ機器の無応答時間が終了する前に、本発明の当該実施形態におけるＧＴＰメッセージ送信装置はＧＴＰメッセージを再送せず、ユーザ機器のサービスは割り込まれないかまたはＧＴＰメッセージ送信装置の回復は実施されず、それにより、ユーザの過度に長い無応答時間に起因するネットワーク上でのユーザ機器のサービス割込みまたは不要な装置回復手続きが回避される。
【００５９】
方式２：ＧＴＰメッセージ送信装置は、（その期間がＴ３−ＲＥＳＰＯＮＳＥである）再送タイマの期間と再送カウンタの時間量閾値の積（当該時間量閾値はＮ３−ＲＥＱＵＥＳＴＳとして記録され、一般に、再送の時間量がＮ３−ＲＥＱＵＥＳＴＳにより定義される時間量（例えば、５回）より大きいとき、ＧＴＰメッセージ送信装置は経路故障が発生したと考え、当該故障に関する情報を記録し、対応するユーザ／ベアラ・コンテキストを削除するかまたは装置回復手続きを開始する）がユーザ機器の無応答時間の期間より大きくなるように調節する（本発明の当該実施形態では、ＧＴＰメッセージ送信装置がＧＴＰメッセージを送信するための時刻はユーザ機器の無応答時間が増大するにつれ延期されるか、または、ユーザ機器の無応答時間が減少するにつれ早められる。特に、無応答時間が増大すると、ＧＴＰメッセージを送信する時刻はユーザ機器の無応答時間が増大するにつれ延期される）。例えば、ベアラ要求生成メッセージ（ｃｒｅａｔｅ  ｂｅａｒｅｒ  ｒｅｑｕｅｓｔ）をＳ−ＧＷに送信した後、Ｐ−ＧＷが計時を開始するために再送タイマを設定すると仮定すると、当該再送タイマの期間に到達したとき、Ｐ−ＧＷがベアラ応答生成メッセージ（ｃｒｅａｔｅ  ｂｅａｒｅｒ  ｒｅｓｐｏｎｓｅ）をＳ−ＧＷから受信していない場合には、Ｐ−ＧＷは送信されたベアラ要求生成メッセージを再送する。本発明の当該実施形態では、ＧＴＰメッセージ送信装置のＴ３−ＲＥＳＰＯＮＳＥの期間と当該再送カウンタのＮ３−ＲＥＱＵＥＳＴＳにより定義された時間量との積をユーザ機器の無応答時間の期間より長くする。このように、ユーザ機器の無応答時間が終了する前に、ユーザ機器のサービスは割り込まれないかまたはＧＴＰメッセージ送信装置の回復は実施されず、それにより、ユーザの過度に長い無応答時間に起因するネットワーク上でのユーザ機器のサービス割込みまたは不要な装置回復手続きが回避される。
【００６０】
方式３：ＧＴＰメッセージ送信装置がＧＴＰメッセージの再送を停止する（本発明の当該実施形態では、ＧＴＰメッセージ送信装置がＧＴＰメッセージを送信するための時刻はユーザ機器の無応答時間が増大するにつれ延期されるか、または、ユーザ機器の無応答時間が減少するにつれ早められる。特に、無応答時間が増大すると、ＧＴＰメッセージを送信する時刻はユーザ機器の無応答時間が増大するにつれ延期される）。本方式では、ＧＴＰメッセージの再送を直接停止して、ユーザ機器の無応答時間が終了する前に、本発明の当該実施形態におけるＧＴＰメッセージ送信装置がＧＴＰメッセージを再送しないことを保証し、それにより、ユーザの過度に長い無応答時間に起因するネットワーク上でのユーザ機器のサービス割込みまたは不要な装置回復手続きが回避される。
【００６１】
方式４：ＧＴＰメッセージ送信装置が、ユーザ機器の無応答時間が終了する前にＧＴＰメッセージの送信を停止する（本発明の当該実施形態では、ＧＴＰメッセージ送信装置がＧＴＰメッセージを送信するための時刻はユーザ機器の無応答時間が増大するにつれ延期されるか、または、ユーザ機器の無応答時間が減少するにつれ早められる。特に、無応答時間が増大すると、ＧＴＰメッセージを送信する時刻はユーザ機器の無応答時間が増大するにつれ延期される）。本方式では、無応答時間が終了する前にＧＴＰメッセージを直接停止する方法を使用し、ユーザ機器の無応答時間が終了する前に、本発明の当該実施形態におけるＧＴＰメッセージ送信装置がＧＴＰメッセージを再送せず、ユーザ機器のサービスは割り込まれないかまたはＧＴＰメッセージ送信装置の回復が実施されないことを保証し、それにより、ユーザの過度に長い無応答時間に起因するネットワーク上でのユーザ機器のサービス割込みまたは不要な装置回復手続きが回避される。
【００６２】
以上から分かるように、本発明の当該実施形態では、ＧＴＰメッセージ送信装置がＧＴＰメッセージ応答装置から送信されたユーザ機器の無応答時間指示を受信する。当該無応答時間指示はユーザ機器の無応答時間を暗黙的または明示的に示し、ＧＴＰメッセージ送信装置が、受信されたユーザ機器の無応答時間指示により示されるユーザ機器の無応答時間に従って、ＧＴＰメッセージ送信装置により、ＧＴＰメッセージを送信する戦略を調節する。その結果、ＧＴＰメッセージ送信装置がＧＴＰメッセージを送信するための時刻はユーザ機器の無応答時間が増大するにつれ延期され、または、ユーザ機器の無応答時間が減少するにつれ早められる。このように、ユーザ機器の無応答時間が終了する前に、故障検出機構はトリガされず、ユーザ機器のサービスは割り込まれないかまたはＧＴＰメッセージ送信装置の回復は実施されないことが保証され、それにより、ユーザの過度に長い無応答時間に起因するネットワーク上でのユーザ機器のサービス割込みまたは不要な装置回復手続きが回避される。
【００６３】
図２は、本発明の１実施形態従うＧＴＰメッセージ送信装置の１実施形態の略構造的構成図である。当該ＧＴＰメッセージ送信装置を、図１に示すプロセスを実装するように構成してもよい。図２に示すように、ＧＴＰメッセージ送信装置が受信モジュール２１と調節モジュール２２を備えてもよい。
【００６４】
受信モジュール２１は、ＧＴＰメッセージ応答装置から送信されたユーザ機器の無応答時間指示を受信するように構成される。当該無応答時間指示はユーザ機器の無応答時間を暗黙的または明示的に示す。
【００６５】
具体的な実装では、当該無応答時間指示がユーザ機器の無応答時間を暗黙的な方式で示してもよい、例えば、ユーザ機器の無応答時間は事前設定された識別子を用いることにより示され、当該識別子をＧＴＰメッセージ応答装置から受信するとき、ＧＩＰメッセージ送信装置がユーザ機器の、当該識別子に対応する無応答時間を知っていてもよい。
【００６６】
具体的な実装では、当該無応答時間指示がユーザ機器の無応答時間を明示的な方式で示してもよい。ＧＴＰメッセージ応答装置がユーザ機器の無応答時間をＧＴＰメッセージ送信装置に直接報告する。
【００６７】
具体的な実装では、本発明の当該実施形態におけるユーザ機器の無応答時間は無応答時間区間または無応答状態の終了時刻を含んでもよい。例えば、当該無応答時間はユーザ機器がアイドル状態にあるときに設定されたＤＲＸ期間（例えば、３０分）であってもよく、または当該無応答時間が、ユーザ機器の電力節約状態が終了する時刻（例えば、９：００）であってもよい。
【００６８】
幾つかの実現可能な実装方式では、本発明の当該実施形態におけるＧＴＰメッセージ送信装置がパケット・データ・ネットワーク・ゲートウェイ（Ｐ−ＧＷ）を備えてもよく、この場合、ＧＴＰメッセージ応答装置はサービング・ゲートウェイ（Ｓ−ＧＷ）を備える。または、ＧＴＰメッセージ送信装置がサービング・ゲートウェイ（Ｓ−ＧＷ）を備えてもよく、この場合、ＧＴＰメッセージ応答装置は移動性管理エンティティ（ＭＭＥ）を備える。次いで、受信モジュール２１は特に、ＧＴＰメッセージ応答装置から送信されたセッション要求生成メッセージを受信するように構成される。当該セッション要求生成メッセージはユーザ機器の無応答時間指示を運搬するか、または、ＧＴＰメッセージ応答装置から送信されたベアラ応答メッセージを受信する。当該ベアラ応答メッセージはユーザ機器の無応答時間指示を運搬し、当該ベアラ応答メッセージは、ベアラ応答生成メッセージ、ベアラ修正応答メッセージ、ベアラ停止応答メッセージ、およびベアラ応答削除メッセージのうち少なくとも１つを含むか、または、ＧＴＰメッセージ応答装置から送信されたダウンリンク・データ通知確認メッセージを受信する。当該ダウンリンク・データ通知確認メッセージはユーザ機器の無応答時間指示を運搬する。ＧＴＰメッセージ送信装置がパケット・データ・ネットワーク・ゲートウェイ（Ｐ−ＧＷ）を備え、ＧＴＰメッセージ応答装置がサービング・ゲートウェイ（Ｓ−ＧＷ）を備えるとき、Ｐ−ＧＷは、セッション要求生成メッセージ、ベアラ応答メッセージ、ベアラ応答生成メッセージ、ベアラ修正応答メッセージ、ベアラ停止応答メッセージ、またはベアラ応答削除メッセージをＳ−ＧＷから受信するときに、ユーザ機器の無応答時間指示をＳ−ＧＷから受信してもよい。ＧＴＰメッセージ送信装置がサービング・ゲートウェイ（Ｓ−ＧＷ）を備えてもよくＧＴＰメッセージ応答装置が移動性管理エンティティ（ＭＭＥ）を備えるとき、Ｓ−ＧＷが、セッション要求生成メッセージ、ベアラ応答メッセージ、ベアラ応答生成メッセージ、ベアラ修正応答メッセージ、ベアラ停止応答メッセージ、またはベアラ応答削除メッセージをＭＭＥから受信するときに、ユーザ機器の無応答時間指示をＭＭＥから受信してもよい。
【００６９】
幾つかの実現可能な実装方式では、本発明の当該実施形態におけるＧＴＰメッセージ送信装置がゲートウェイＧＰＲＳサポート・ノード（ＧＧＳＮ）を含んでもよく、この場合、ＧＴＰメッセージ応答装置はサービスＧＰＲＳサポート・ノード（ＳＧＳＮ）を含む。次いで、受信モジュール２１は特に、ＧＴＰメッセージ応答装置から送信されたパケット・データ・プロトコル・コンテキスト要求生成メッセージを受信するように構成される。当該パケット・データ・プロトコル・コンテキスト要求生成メッセージはユーザ機器の無応答時間指示を運搬するか、または、ＧＴＰメッセージ応答装置から送信されたパケット・データ・プロトコル・コンテキスト応答メッセージを受信する。当該パケット・データ・プロトコル・コンテキスト応答メッセージはユーザ機器の無応答時間指示を運搬し、当該パケット・データ・プロトコル・コンテキスト応答メッセージは、パケット・データ・プロトコル・コンテキスト応答更新メッセージおよびパケット・データ・プロトコル・コンテキスト応答削除メッセージのうち少なくとも１つを含む。ＧＴＰメッセージ送信装置がゲートウェイＧＰＲＳサポート・ノード（ＧＧＳＮ）を含み、ＧＴＰメッセージ応答装置がサービスＧＰＲＳサポート・ノード（ＳＧＳＮ）を含むとき、当該ＧＧＳＮが、パケット・データ・プロトコル・コンテキスト要求生成メッセージ、またはパケット・データ・プロトコル・コンテキスト応答更新メッセージ、またはパケット・データ・プロトコル・コンテキスト応答削除メッセージをＳＧＳＮから受信するときに、ユーザ機器の無応答時間指示をＳＧＳＮから受信してもよい。
【００７０】
調節モジュール２２は、受信モジュール２１により受信されたユーザ機器の無応答時間指示により示されるユーザ機器の無応答時間に従って、ＧＴＰメッセージを送信する時刻を調節するように構成される。ＧＴＰメッセージを送信する時刻を調節するステップは特に、ユーザ機器の無応答時間が増大したときＧＴＰメッセージを送信する時刻を延ばすことであるか、または、ユーザ機器の無応答時間が減少したとき、ＧＴＰメッセージを送信する時刻を早めることである。
【００７１】
さらに、図３に示すように、本発明の当該実施形態における調節モジュール２２が、第１の調節モジュール２２１、第２の調節モジュール２２２、第３の調節モジュール２２３、および第４の調節モジュール２２４のうち少なくとも１つを備えてもよい。
【００７２】
第１の調節モジュール２２１は、（その期間がＴ３−ＲＥＳＰＯＮＳＥである）再送タイマの期間がユーザ機器の無応答時間の期間より大きいように調節するように構成される。当該再送タイマの期間はＧＴＰメッセージ送信装置により実施されるＧＴＰメッセージの再送の期間である。例えば、ベアラ要求生成メッセージ（ｃｒｅａｔｅ  ｂｅａｒｅｒ  ｒｅｑｕｅｓｔ）をＳ−ＧＷに送信した後、Ｐ−ＧＷが計時を開始するために再送タイマを設定すると仮定すると、当該再送タイマの期間に到達したときＰ−ＧＷがベアラ応答生成メッセージ（ｃｒｅａｔｅ  ｂｅａｒｅｒ  ｒｅｓｐｏｎｓｅ）をＳ−ＧＷから受信していない場合には、Ｐ−ＧＷは送信されたベアラ要求生成メッセージを再送する。本発明の当該実施形態では、ＧＴＰメッセージ送信装置の再送タイマの期間は、ユーザ機器の無応答時間に従って可変に設定され、ユーザ機器の無応答時間よりも長く設定される（本発明の当該実施形態では、ＧＴＰメッセージ送信装置がＧＴＰメッセージを送信するための時刻はユーザ機器の無応答時間が増大するにつれ延期され、またはユーザ機器の無応答時間が減少するにつれ早められる。特に、無応答時間が増大すると、ＧＴＰメッセージを送信する時刻はユーザ機器の無応答時間が増大するにつれ延期される）。次いで、ユーザ機器の無応答時間が終了する前に、本発明の当該実施形態におけるＧＴＰメッセージ送信装置はＧＴＰメッセージを再送せず、ユーザ機器のサービスは割り込まれないかまたはＧＴＰメッセージ送信装置の回復は実施されず、それにより、ユーザの過度に長い無応答時間に起因するネットワーク上でのユーザ機器のサービス割込みまたは不要な装置回復手続きが回避される。
【００７３】
第２の調節モジュール２２２は、（その期間がＴ３−ＲＥＳＰＯＮＳＥである）再送タイマの期間と再送カウンタの時間量閾値の積（当該時間量閾値はＮ３−ＲＥＱＵＥＳＴＳとして記録され、一般に、再送の時間量がＮ３−ＲＥＱＵＥＳＴＳにより定義される時間量（例えば、５回）より大きいとき、ＧＴＰメッセージ送信装置は経路故障が発生したと考え、当該故障に関する情報を記録し、対応するユーザ／ベアラ・コンテキストを削除するかまたは装置回復手続きを開始する）がユーザ機器の無応答時間の期間より大きくなるように調節するように構成される（本発明の当該実施形態では、ＧＴＰメッセージ送信装置がＧＴＰメッセージを送信するための時刻はユーザ機器の無応答時間が増大するにつれ延期されるか、または、ユーザ機器の無応答時間が減少するにつれ早められる。特に、無応答時間が増大すると、ＧＴＰメッセージを送信する時刻はユーザ機器の無応答時間が増大するにつれ延期される）。例えば、ベアラ要求生成メッセージ（ｃｒｅａｔｅ  ｂｅａｒｅｒ  ｒｅｑｕｅｓｔ）をＳ−ＧＷに送信した後、Ｐ−ＧＷが計時を開始するために再送タイマを設定すると仮定すると、当該再送タイマの期間に到達したとき、Ｐ−ＧＷがベアラ応答生成メッセージ（ｃｒｅａｔｅ  ｂｅａｒｅｒ  ｒｅｓｐｏｎｓｅ）をＳ−ＧＷから受信していない場合には、Ｐ−ＧＷは送信されたベアラ要求生成メッセージを再送する。本発明の当該実施形態では、ＧＴＰメッセージ送信装置のＴ３−ＲＥＳＰＯＮＳＥの期間と当該再送カウンタのＮ３−ＲＥＱＵＥＳＴＳにより定義された時間量との積をユーザ機器の無応答時間の期間より長くする。このように、ユーザ機器の無応答時間が終了する前に、ユーザ機器のサービスは割り込まれないかまたはＧＴＰメッセージ送信装置の回復は実施されず、それにより、ユーザの過度に長い無応答時間に起因するネットワーク上でのユーザ機器のサービス割込みまたは不要な装置回復手続きが回避される。
【００７４】
第３の調節モジュール２２３は、ＧＴＰメッセージの再送を停止するように構成される（本発明の当該実施形態では、ＧＴＰメッセージ送信装置がＧＴＰメッセージを送信するための時刻はユーザ機器の無応答時間が増大するにつれ延期されるか、または、ユーザ機器の無応答時間が減少するにつれ早められる。特に、無応答時間が増大すると、ＧＴＰメッセージを送信する時刻はユーザ機器の無応答時間が増大するにつれ延期される）。本方式では、ＧＴＰメッセージの再送を直接停止して、ユーザ機器の無応答時間が終了する前に、本発明の当該実施形態におけるＧＴＰメッセージ送信装置はＧＴＰメッセージを再送しないことを保証し、ユーザ機器のサービスは割り込まれないかまたはＧＴＰメッセージ送信装置の回復は実施されず、それにより、ユーザの過度に長い無応答時間に起因するネットワーク上でのユーザ機器のサービス割込みまたは不要な装置回復手続きが回避される。
【００７５】
第４の調節モジュール２２４は、ユーザ機器の無応答時間が終了する前にＧＴＰメッセージの送信を停止するように構成される（本発明の当該実施形態では、ＧＴＰメッセージ送信装置がＧＴＰメッセージを送信するための時刻はユーザ機器の無応答時間が増大するにつれ延期されるか、または、ユーザ機器の無応答時間が減少するにつれ早められる。特に、無応答時間が増大すると、ＧＴＰメッセージを送信する時刻はユーザ機器の無応答時間が増大するにつれ延期される）。本方式では、無応答時間が終了する前にＧＴＰメッセージを直接停止する方法を使用して、ユーザ機器の無応答時間が終了する前に、本発明の当該実施形態におけるＧＴＰメッセージ送信装置がＧＴＰメッセージを再送しないことを保証し、ユーザ機器のサービスは割り込まれないかまたはＧＴＰメッセージ送信装置の回復は実施されず、それにより、ユーザの過度に長い無応答時間に起因するネットワーク上でのユーザ機器のサービス割込みまたは不要な装置回復手続きが回避される。
【００７６】
以上から分かるように、本発明の当該実施形態では、ＧＴＰメッセージ送信装置がＧＴＰメッセージ応答装置から送信されたユーザ機器の無応答時間指示を受信する。当該無応答時間指示はユーザ機器の無応答時間を暗黙的または明示的に示す。ＧＴＰメッセージ送信装置が、受信されたユーザ機器の無応答時間指示により示されるユーザ機器の無応答時間に従って、ＧＴＰメッセージ送信装置によりＧＴＰメッセージを送信する戦略を調節する。その結果、ＧＴＰメッセージ送信装置がＧＴＰメッセージを送信するための時刻はユーザ機器の無応答時間が増大するにつれ延期され、または、ユーザ機器の無応答時間が減少するにつれ早められる。このように、ユーザ機器の無応答時間が終了する前に、故障検出機構はトリガされず、ユーザ機器のサービスは割り込まれないかまたはＧＴＰメッセージ送信装置の回復は実施されないことが保証され、それにより、ユーザの過度に長い無応答時間に起因するネットワーク上でのユーザ機器のサービス割込みまたは不要な装置回復手続きが回避される。
【００７７】
図４は、本発明に従うＣＴＰメッセージ送信装置の別の実施形態の略構造的な構成図である。図４を参照して分かるように、図４は、当該ＣＴＰメッセージ送信装置の例示的な説明がハードウェア構造の構成の視点から提供されるという点で、図２および図３に示す実施形態と異なる。特に、図４に示すように、本発明の当該実施形態におけるＣＴＰメッセージ送信装置が受信器４１とプロセッサ４２を備えてもよい。受信器４１はＧＴＰメッセージ応答装置から送信されたユーザ機器の無応答時間指示を受信するように構成される。当該無応答時間指示はユーザ機器の無応答時間を暗黙的または明示的に示す。具体的な実装では、当該実施形態における受信器４１により実装されるべき機能は図２に示す実施形態における受信モジュール２１の機能と同様であり、したがって、受信器４１の機能実装の詳細はここでは再度説明することはしない。プロセッサ４２は、受信器４１により受信されたユーザ機器の無応答時間指示により示されるユーザ機器の無応答時間に従って、ＧＴＰメッセージを送信する時刻を調節するように構成される。ＧＴＰメッセージを送信する時刻を調節するステップは特に、ユーザ機器の無応答時間が増大したときＧＴＰメッセージを送信する時刻を延ばすことであるか、または、ユーザ機器の無応答時間が減少したとき、ＧＴＰメッセージを送信する時刻を早めることである。具体的な実装では、当該実施形態におけるプロセッサ４２により実装されるべき機能は図２および図３の調節モジュール２２により実装される機能と同様であり、したがって、プロセッサ４２の機能実装の詳細はここでは再度説明することはしない。
【００７８】
具体的な実装では、当該実施形態におけるＧＴＰメッセージ送信装置がパケット・データ・ネットワーク・ゲートウェイ（Ｐ−ＧＷ）を備え、ＧＴＰメッセージ応答装置がサービング・ゲートウェイ（Ｓ−ＧＷ）を備えるか、または、ＧＴＰメッセージ送信装置がサービング・ゲートウェイ（Ｓ−ＧＷ）を備え、ＧＴＰメッセージ応答装置が移動性管理エンティティ（ＭＭＥ）を備える。あるいは、ＧＴＰメッセージ送信装置がゲートウェイＧＰＲＳサポート・ノード（ＧＧＳＮ）を含み、ＧＴＰメッセージ応答装置がサービスＧＰＲＳサポート・ノード（ＳＧＳＮ）を含む。
【００７９】
具体的な実装では、本発明の当該実施形態におけるユーザ機器の無応答時間が無応答時間区間または無応答状態の終了時刻を含んでもよい。例えば、当該無応答時間が、ユーザ機器がアイドル状態にあるときに設定されたＤＲＸ期間（例えば、３０分）であってもよく、または当該無応答時間がユーザ機器の電力節約状態が終了する時刻（例えば、９：００）であってもよい。
【００８０】
図５は、本発明に従うデータ送信方法の１実施形態の略流れ図である。図５に示すように、当該データ送信方法が以下のステップを含んでもよい。
ステップＳ２１０：ＧＴＰメッセージ応答装置がユーザ機器の無応答時間指示を取得する。
【００８１】
具体的な実装では、本発明の当該実施形態におけるユーザ機器の無応答時間が無応答時間区間または無応答状態の終了時刻を含んでもよい。例えば、当該無応答時間が、ユーザ機器がアイドル状態にあるときに設定されたＤＲＸ期間（例えば、３０分）であってもよく、または当該無応答時間がユーザ機器の電力節約状態が終了する時刻（例えば、９：００）であってもよい。
【００８２】
具体的な実装では、ＧＴＰメッセージ応答装置が、構成によりユーザ機器の無応答時間を取得するステップと、ユーザ機器からシグナリングを受信することによってユーザ機器の無応答時間を取得するステップと、ユーザ機器のサブスクリプション情報からユーザ機器の無応答時間を取得するステップとのうち少なくとも１つでユーザ機器の無応答時間を取得してもよい。
【００８３】
ステップＳ２１１：ＧＴＰメッセージ応答装置が当該取得されたユーザ機器の無応答時間指示をＧＴＰメッセージ送信装置に送信する。当該無応答時間指示はユーザ機器の無応答時間を暗黙的または明示的に示す。その結果、ＧＴＰメッセージ送信装置が、受信されたユーザ機器の無応答時間指示により示されるユーザ機器の無応答時間に従って、ＧＴＰメッセージを送信する時刻を調節する。ＧＴＰメッセージを送信する時刻を調節するステップは特に、ユーザ機器の無応答時間が増大したときＧＴＰメッセージを送信する時刻を延ばすことであるか、または、ユーザ機器の無応答時間が減少したとき、ＧＴＰメッセージを送信する時刻を早めることである。
【００８４】
幾つかの実現可能な実装方式では、本発明の当該実施形態におけるＧＴＰメッセージ送信装置がパケット・データ・ネットワーク・ゲートウェイ（Ｐ−ＧＷ）を含んでもよい。この場合、ＧＴＰメッセージ応答装置はサービング・ゲートウェイ（Ｓ−ＧＷ）を備えるか、または、ＧＴＰメッセージ送信装置がサービング・ゲートウェイ（Ｓ−ＧＷ）を含んでもよい。この場合、ＧＴＰメッセージ応答装置は移動性管理エンティティ（ＭＭＥ）を備える。次いで、ステップＳ２１１では、ＧＴＰメッセージ応答装置がセッション要求生成メッセージをＧＴＰメッセージ送信装置に送信し、当該セッション要求生成メッセージはユーザ機器の無応答時間指示を運搬するか、または、ＧＴＰメッセージ応答装置がベアラ応答メッセージをＧＴＰメッセージ送信装置に送信し、当該ベアラ応答メッセージはユーザ機器の無応答時間指示を運搬し、当該ベアラ応答メッセージは、ベアラ応答生成メッセージ、ベアラ修正応答メッセージ、ベアラ停止応答メッセージ、およびベアラ応答削除メッセージのうち少なくとも１つを含むか、または、ＧＴＰメッセージ応答装置がダウンリンク・データ通知確認メッセージをＧＴＰメッセージ送信装置に送信し、当該ダウンリンク・データ通知確認メッセージはユーザ機器の無応答時間指示を運搬する。ＧＴＰメッセージ送信装置がパケット・データ・ネットワーク・ゲートウェイ（Ｐ−ＧＷ）を含んでもよく、ＧＴＰメッセージ応答装置がサービング・ゲートウェイ（Ｓ−ＧＷ）を備えるとき、Ｓ−ＧＷが、セッション要求生成メッセージ、ベアラ応答メッセージ、ベアラ応答生成メッセージ、ベアラ修正応答メッセージ、ベアラ停止応答メッセージ、またはベアラ応答削除メッセージをＰ−ＧＷに送信するときに、ユーザ機器の無応答時間指示をＰ−ＧＷに送信してもよい。ＧＴＰメッセージ送信装置がサービング・ゲートウェイ（Ｓ−ＧＷ）を備え、ＧＴＰメッセージ応答装置が移動性管理エンティティ（ＭＭＥ）を備えるとき、ＭＭＥが、セッション要求生成メッセージ、ベアラ応答メッセージ、ベアラ応答生成メッセージ、ベアラ修正応答メッセージ、ベアラ停止応答メッセージ、またはベアラ応答削除メッセージをＳ−ＧＷに送信するときに、ユーザ機器の無応答時間指示をＳ−ＧＷに送信してもよい。
【００８５】
幾つかの実現可能な実装方式では、本発明の当該実施形態におけるＧＴＰメッセージ送信装置がゲートウェイＧＰＲＳサポート・ノード（ＧＧＳＮ）を含んでもよく、この場合、ＧＴＰメッセージ応答装置はサービスＧＰＲＳサポート・ノード（ＳＧＳＮ）を含む。次いで、ステップＳ２１１では、ＧＴＰメッセージ応答装置がパケット・データ・プロトコル・コンテキスト要求生成メッセージをＧＴＰメッセージ送信装置に送信し、当該パケット・データ・プロトコル・コンテキスト要求生成メッセージはユーザ機器の無応答時間指示を運搬するか、または、ＧＴＰメッセージ応答装置がパケット・データ・プロトコル・コンテキスト応答メッセージをＧＴＰメッセージ送信装置に送信し、当該パケット・データ・プロトコル・コンテキスト応答メッセージはユーザ機器の無応答時間指示を運搬し、当該パケット・データ・プロトコル・コンテキスト応答メッセージは、パケット・データ・プロトコル・コンテキスト応答更新メッセージおよびパケット・データ・プロトコル・コンテキスト応答削除メッセージのうち少なくとも１つを含む。ＧＴＰメッセージ送信装置がゲートウェイＧＰＲＳサポート・ノード（ＧＧＳＮ）を含み、ＧＴＰメッセージ応答装置がサービスＧＰＲＳサポート・ノード（ＳＧＳＮ）を含むとき、ＳＧＳＮが、パケット・データ・プロトコル・コンテキスト要求生成メッセージ、またはパケット・データ・プロトコル・コンテキスト応答更新メッセージ、またはパケット・データ・プロトコル・コンテキスト応答削除メッセージをＧＧＳＮに送信するときに、ユーザ機器の無応答時間指示を当該ＧＧＳＮに送信してもよい。
【００８６】
以上から分かるように、本発明の当該実施形態では、ＧＴＰメッセージ応答装置がユーザ機器の無応答時間指示をＧＴＰメッセージ送信装置に送信する。その結果、ＧＴＰメッセージ送信装置が、ユーザ機器の無応答時間指示により示されたユーザ機器の無応答時間に従って、ＧＴＰメッセージ送信装置によりＧＴＰメッセージを送信する戦略を調節する。その結果、ＧＴＰメッセージ送信装置がＧＴＰメッセージを送信するための時刻はユーザ機器の無応答時間が増大するにつれ延期され、または、ユーザ機器の無応答時間が減少するにつれ早められる。このように、ユーザ機器の無応答時間が終了する前に、故障検出機構はトリガされず、ユーザ機器のサービスは割り込まれないかまたはＧＴＰメッセージ送信装置の回復は実施されないことが保証され、それにより、ユーザの過度に長い無応答時間に起因するネットワーク上でのユーザ機器のサービス割込みまたは不要な装置回復手続きが回避される。
【００８７】
図６は、本発明に従うＧＴＰメッセージ応答装置の１実施形態の略構造的な構成図である。当該ＧＴＰメッセージ応答装置を、図５に示す方法を実装するように構成してもよい。図６に示すように、ＧＴＰメッセージ応答装置が取得モジュール６１と送信モジュール６２を備えてもよい。取得モジュール６１は、ユーザ機器の無応答時間指示を取得するように構成される。
【００８８】
具体的な実装では、本発明の当該実施形態におけるユーザ機器の無応答時間が無応答時間区間または無応答状態の終了時刻を含んでもよい。例えば、当該無応答時間が、ユーザ機器がアイドル状態にあるときに設定されたＤＲＸ期間（例えば、３０分）であってもよく、または当該無応答時間がユーザ機器の電力節約状態が終了する時刻（例えば、９：００）であってもよい。
【００８９】
具体的な実装では、取得モジュール６１が、構成によりユーザ機器の無応答時間を取得するステップと、ユーザ機器からシグナリングを受信することによってユーザ機器の無応答時間を取得するステップと、ユーザ機器のサブスクリプション情報からユーザ機器の無応答時間を取得するステップとのうち少なくとも１つでユーザ機器の無応答時間を取得してもよい。
【００９０】
送信モジュール６２は、当該取得されたユーザ機器の無応答時間指示をＧＴＰメッセージ送信装置に送信するように構成される。当該無応答時間指示はユーザ機器の無応答時間を暗黙的または明示的に示し、その結果、ＧＴＰメッセージ送信装置が、受信されたユーザ機器の無応答時間指示により示されるユーザ機器の無応答時間に従って、ＧＴＰメッセージを送信する時刻を調節する。ＧＴＰメッセージを送信する時刻を調節するステップは特に、ユーザ機器の無応答時間が増大したときＧＴＰメッセージを送信する時刻を延ばすことであるか、または、ユーザ機器の無応答時間が減少したとき、ＧＴＰメッセージを送信する時刻を早めることである。
【００９１】
幾つかの実現可能な実装方式では、本発明の当該実施形態におけるＧＴＰメッセージ送信装置がパケット・データ・ネットワーク・ゲートウェイ（Ｐ−ＧＷ）を備えてもよく、この場合、ＧＴＰメッセージ応答装置はサービング・ゲートウェイ（Ｓ−ＧＷ）を備える。または、ＧＴＰメッセージ送信装置がサービング・ゲートウェイ（Ｓ−ＧＷ）を備えてもよく、この場合、ＧＴＰメッセージ応答装置は移動性管理エンティティ（ＭＭＥ）を備える。次いで、送信モジュール６２は特に、セッション要求生成メッセージを送信するように構成され、当該セッション要求生成メッセージはユーザ機器の無応答時間指示を運搬するか、または、ベアラ応答メッセージをＧＴＰメッセージ送信装置に送信し、当該ベアラ応答メッセージはユーザ機器の無応答時間指示を運搬し、当該ベアラ応答メッセージは、ベアラ応答生成メッセージ、ベアラ修正応答メッセージ、ベアラ停止応答メッセージ、およびベアラ応答削除メッセージのうち少なくとも１つを含むか、または、ＧＴＰメッセージ応答装置はダウンリンク・データ通知確認メッセージをＧＴＰメッセージ送信装置に送信し、当該ダウンリンク・データ通知確認メッセージはユーザ機器の無応答時間指示を運搬する。ＧＴＰメッセージ送信装置がパケット・データ・ネットワーク・ゲートウェイ（Ｐ−ＧＷ）を含んでもよく、ＧＴＰメッセージ応答装置はサービング・ゲートウェイ（Ｓ−ＧＷ）を備えるとき、Ｓ−ＧＷが、セッション要求生成メッセージ、ベアラ応答メッセージ、ベアラ応答生成メッセージ、ベアラ修正応答メッセージ、ベアラ停止応答メッセージ、またはベアラ応答削除メッセージをＰ−ＧＷに送信するときに、ユーザ機器の無応答時間指示をＰ−ＧＷに送信してもよい。ＧＴＰメッセージ送信装置がサービング・ゲートウェイ（Ｓ−ＧＷ）を備え、ＧＴＰメッセージ応答装置が移動性管理エンティティ（ＭＭＥ）を備えるとき、ＭＭＥが、セッション要求生成メッセージ、ベアラ応答メッセージ、ベアラ応答生成メッセージ、ベアラ修正応答メッセージ、ベアラ停止応答メッセージ、またはベアラ応答削除メッセージをＳ−ＧＷに送信するときに、ユーザ機器の無応答時間指示をＳ−ＧＷに送信してもよい。
【００９２】
幾つかの実現可能な実装方式では、本発明の当該実施形態におけるＧＴＰメッセージ送信装置がゲートウェイＧＰＲＳサポート・ノード（ＧＧＳＮ）を含んでもよく、この場合、ＧＴＰメッセージ応答装置はサービスＧＰＲＳサポート・ノード（ＳＧＳＮ）を含む。送信モジュール６２は特に、パケット・データ・プロトコル・コンテキスト要求生成メッセージをＧＴＰメッセージ送信装置に送信するように構成され、当該パケット・データ・プロトコル・コンテキスト要求生成メッセージはユーザ機器の無応答時間指示を運搬するか、または、パケット・データ・プロトコル・コンテキスト応答メッセージをＧＴＰメッセージ送信装置に送信する。当該パケット・データ・プロトコル・コンテキスト応答メッセージはユーザ機器の無応答時間指示を運搬し、当該パケット・データ・プロトコル・コンテキスト応答メッセージは、パケット・データ・プロトコル・コンテキスト応答更新メッセージおよびパケット・データ・プロトコル・コンテキスト応答削除メッセージのうち少なくとも１つを含む。即ち、ＧＴＰメッセージ送信装置がゲートウェイＧＰＲＳサポート・ノード（ＧＧＳＮ）を含み、ＧＴＰメッセージ応答装置がサービスＧＰＲＳサポート・ノード（ＳＧＳＮ）を含むとき、ＳＧＳＮが、パケット・データ・プロトコル・コンテキスト要求生成メッセージ、またはパケット・データ・プロトコル・コンテキスト応答更新メッセージ、またはパケット・データ・プロトコル・コンテキスト応答削除メッセージを当該ＧＧＳＮに送信するときに、ユーザ機器の無応答時間指示を当該ＧＧＳＮに送信してもよい。
【００９３】
以上から分かるように、本発明の当該実施形態では、ＧＴＰメッセージ応答装置がユーザ機器の無応答時間指示をＧＴＰメッセージ送信装置に送信する。その結果、ＧＴＰメッセージ送信装置が、ユーザ機器の無応答時間指示により示されたユーザ機器の無応答時間に従って、ＧＴＰメッセージ送信装置によりＧＴＰメッセージを送信する戦略を調節する、その結果、ＧＴＰメッセージ送信装置がＧＴＰメッセージを送信するための時刻はユーザ機器の無応答時間が増大するにつれ延期され、またはユーザ機器の無応答時間が減少するにつれ早められる。このように、ユーザ機器の無応答時間が終了する前に、故障検出機構はトリガされず、ユーザ機器のサービスは割り込まれないかまたはＧＴＰメッセージ送信装置の回復は実施されないことが保証され、それにより、ユーザの過度に長い無応答時間に起因するネットワーク上でのユーザ機器のサービス割込みまたは不要な装置回復手続きが回避される。
【００９４】
図７は、本発明に従うＧＴＰメッセージ応答装置の別の実施形態の略構造的な構成図である。図７を参照して分かるように、図７は、当該ＣＴＰメッセージ送信装置の例示的な説明がハードウェア構造の構成の視点から提供されるという点で、図６に示す実施形態と異なる。特に、図７に示すように、本発明の当該実施形態のＣＴＰメッセージ応答装置は受信器７１と送信器７２を備えてもよい。受信器７１は、ユーザ機器の無応答時間指示を取得するように構成される。具体的な実装では、当該実施形態における受信器７１により実装されるべき機能は図６に示す実施形態の取得モジュール６１の機能と同様であり、したがって、受信器７１の機能実装の詳細はここでは再度説明することはしない。送信器７２は、当該受信器により取得されたユーザ機器の当該無応答時間指示をＧＴＰメッセージ送信装置に送信するように構成される。当該無応答時間指示はユーザ機器の無応答時間を暗黙的または明示的に示す。その結果、ＧＴＰメッセージ送信装置が、受信されたユーザ機器の無応答時間指示により示されるユーザ機器の無応答時間に従って、ＧＴＰメッセージを送信する時刻を調節する。ＧＴＰメッセージを送信する時刻を調節するステップは特に、ユーザ機器の無応答時間が増大したときＧＴＰメッセージを送信する時刻を延ばすことであるか、または、ユーザ機器の無応答時間が減少したときＧＴＰメッセージを送信する時刻を早めることである。具体的な実装では、当該実施形態における送信器７２により実装されるべき機能は図６の送信モジュール６２により実装される機能と同様であり、したがって、送信器７２の機能実装の詳細はここでは再度説明することはしない。
【００９５】
具体的な実装では、当該実施形態におけるＧＴＰメッセージ送信装置はパケット・データ・ネットワーク・ゲートウェイ（Ｐ−ＧＷ）を備え、ＧＴＰメッセージ応答装置はサービング・ゲートウェイ（Ｓ−ＧＷ）を備えるか、または、ＧＴＰメッセージ送信装置がサービング・ゲートウェイ（Ｓ−ＧＷ）を備え、ＧＴＰメッセージ応答装置が移動性管理エンティティ（ＭＭＥ）を備える。あるいは、ＧＴＰメッセージ送信装置がゲートウェイＧＰＲＳサポート・ノード（ＧＧＳＮ）を含み、ＧＴＰメッセージ応答装置がサービスＧＰＲＳサポート・ノード（ＳＧＳＮ）を含む。
【００９６】
具体的な実装では、本発明の当該実施形態におけるユーザ機器の無応答時間は無応答時間区間または無応答状態の終了時刻を含んでもよい。例えば、当該無応答時間が、ユーザ機器がアイドル状態にあるときに設定されたＤＲＸ期間（例えば、３０分）であってもよく、または当該無応答時間がユーザ機器の電力節約状態が終了する時刻（例えば、９：００）であってもよい。
【００９７】
本発明の諸実施形態における上述の方法の実施形態を実装するためのステップの全部または一部を、関連するハードウェアに指示するプログラムにより実装してもよいことは当業者には理解される。上述のプログラムをコンピュータ可読記憶媒体に格納してもよい。当該プログラムを実行すると、上述の方法の実施形態の諸ステップが実行される。上述の記憶媒体にはＲＯＭ、ＲＡＭ、磁気ディスク、または光ディスクのような、プログラム・コードを格納できる様々な媒体が含まれる。
【００９８】
図８乃至図１３はさらに、複数の具体的なアプリケーション・シナリオを用いることによって本発明の諸実施形態に従う方法のプロセスを詳細に説明する。
【００９９】
図８は、ＭＭＥにより、アタッチ手続きを用いることによりユーザ機器の無応答時間を送信するステップの略流れ図を示す。図８に示すように、当該プロセスが以下のステップを含んでもよい。
【０１００】
ステップ８０１：ＭＭＥがセッション要求生成メッセージ（ｃｒｅａｔｅ  ｓｅｓｓｉｏｎ  ｒｅｑｕｅｓｔ）をＳ−ＧＷに送信する。当該セッション要求生成メッセージは、ユーザ機器の無応答時間を運搬する（この場合、ユーザ機器の無応答時間は明示的な方式で示され、具体的な実装では、ユーザ機器の無応答時間を暗黙的な方式で示してもよい）、ユーザ機器の最大無応答期間が３０分であることを示す。
【０１０１】
ステップＳ８０２：Ｓ−ＧＷが、ＧＴＰメッセージの再送パラメータＴ３−ＲＥＳＰＯＮＳＥおよび／またはＮ３−ＲＥＱＵＥＳＴＳをユーザ機器の無応答時間に従って調節し、例えば、Ｔ３−ＲＥＳＰＯＮＳＥが３０分より長くなるように調節するかまたはＴ３−ＲＥＳＰＯＮＳＥとＮ３−ＲＥＱＵＥＳＴＳの積が３０分より長くなるように調節する。
【０１０２】
ステップＳ８０３：Ｓ−ＧＷがセッション応答メッセージ生成（ｃｒｅａｔｅ  ｓｅｓｓｉｏｎ  ｒｅｓｐｏｎｓｅ）をＭＭＥに送信する。
【０１０３】
図９は、ＭＭＥにより、アタッチ手続きを用いることによりユーザ機器の無応答時間を送信するステップの略流れ図を示す。図９に示すように、当該プロセスが以下のステップを含んでもよい。
【０１０４】
ステップＳ９０１：ＭＭＥがセッション要求生成メッセージ（ｃｒｅａｔｅ  ｓｅｓｓｉｏｎ  ｒｅｑｕｅｓｔ）をＳ−ＧＷに送信する。当該要求はユーザ機器の無応答時間を運搬し、ユーザ機器の最大無応答期間が３０分であることを示す。
【０１０５】
ステップＳ９０２：Ｓ−ＧＷがセッション要求生成メッセージ（ｃｒｅａｔｅ  ｓｅｓｓｉｏｎ  ｒｅｑｕｅｓｔ）をＰ−ＧＷに送信する。当該要求はユーザ機器の無応答時間を運搬し、ユーザ機器の最大無応答期間が３０分であることを示す。
【０１０６】
ステップＳ９０３：Ｐ−ＧＷが、ＧＴＰメッセージの再送パラメータＴ３−ＲＥＳＰＯＮＳＥおよび／またはＮ３−ＲＥＱＵＥＳＴＳをユーザ機器の無応答時間に従って調節し、例えば、Ｔ３−ＲＥＳＰＯＮＳＥが３０分より長くなるように調節するかまたはＴ３−ＲＥＳＰＯＮＳＥとＮ３−ＲＥＱＵＥＳＴＳの積が３０分より長くなるように調節する。
【０１０７】
ステップＳ９０４：Ｐ−ＧＷがセッション応答メッセージ生成（ｃｒｅａｔｅ  ｓｅｓｓｉｏｎ  ｒｅｓｐｏｎｓｅ）をＳ−ＧＷに送信する。
【０１０８】
ステップＳ９０５：Ｓ−ＧＷがセッション応答メッセージ生成（ｃｒｅａｔｅ  ｓｅｓｓｉｏｎ  ｒｅｓｐｏｎｓｅ）をＭＭＥに送信する。
【０１０９】
当該実施形態は、Ｓ−ＧＷがユーザ機器の無応答時間をＰ−ＧＷに送信する手続きを当該実施形態が含むという点で図８と異なる。
【０１１０】
図１０は、ＭＭＥにより、ベアラ起動手続きを用いることによりユーザ機器の無応答時間を送信するステップの略流れ図を示す。図１０に示すように、当該プロセスが以下のステップを含んでもよい。
【０１１１】
ステップＳ１００１：Ｐ−ＧＷがベアラ要求生成メッセージ（ｃｒｅａｔｅ  ｂｅａｒｅｒ  ｒｅｑｕｅｓｔ）をＳ−ＧＷに送信する。
【０１１２】
ステップＳ１００２：Ｓ−ＧＷがベアラ要求生成メッセージ（ｃｒｅａｔｅ  ｂｅａｒｅｒ  ｒｅｑｕｅｓｔ）をＭＭＥに送信する。
【０１１３】
ステップＳ１００３：ＭＭＥが当該ベアラ要求生成メッセージを拒否し、ユーザ機器の無応答時間をベアラ応答生成メッセージ（ｃｒｅａｔｅ  ｂｅａｒｅｒ  ｒｅｓｐｏｎｓｅ）に追加し、当該ベアラ応答生成メッセージをＳ−ＧＷに送信する。
【０１１４】
ステップＳ１００４：Ｓ−ＧＷがベアラ応答メッセージ生成（ｃｒｅａｔｅ  ｂｅａｒｅｒ  ｒｅｓｐｏｎｓｅ）をＰ−ＧＷに送信する。当該メッセージはユーザ機器の無応答時間を運搬し、例えば、ユーザ機器の最大無応答期間が３０分であることを示すか、または、ユーザ機器が無応答状態を出る時刻が９：００であることを示す。
【０１１５】
ステップＳ１００５：Ｐ−ＧＷが、ＧＴＰメッセージの再送パラメータＴ３−ＲＥＳＰＯＮＳＥおよび／またはＮ３−ＲＥＱＵＥＳＴＳをユーザ機器の無応答時間に従って調節し、例えば、Ｔ３−ＲＥＳＰＯＮＳＥが３０分より長くなるように調節するかまたはＴ３−ＲＥＳＰＯＮＳＥとＮ３−ＲＥＱＵＥＳＴＳの積が３０分より長くなるように調節するか、または、当該ＧＴＰメッセージをユーザ機器に送信する時刻を９：００より遅くなるように延期する。
【０１１６】
図１１は、ＭＭＥにより、ネットワークトリガ式サービス要求手続きを用いることによりユーザ機器の無応答時間を送信するステップの略流れ図を示す。図１１に示すように、当該プロセスが以下のステップを含んでもよい。
【０１１７】
ステップＳ１１０１：Ｓ−ＧＷがダウンリンク・データ（Ｄｏｗｎｌｉｎｋ  Ｄａｔａ）を受信するか、またはユーザ機器がＩＳＲを起動したときにベアラ制御シグナリングを受信する。
【０１１８】
ステップＳ１１０２：Ｓ−ＧＷがダウンリンク・データ通知メッセージ（Ｄｏｗｎｌｉｎｋ  Ｄａｔａ  Ｎｏｔｉｆｉｃａｔｉｏｎ）をＭＭＥに送信する。
【０１１９】
ステップＳ１１０３：ＭＭＥがダウンリンク・データ通知確認メッセージ（Ｄｏｗｎｌｉｎｋ  Ｄａｔａ  Ｎｏｔｉｆｉｃａｔｉｏｎ  Ａｃｋ）をＳ−ＧＷに送信する。当該メッセージはユーザ機器の無応答時間を示し、例えば、ユーザ機器の最大無応答期間が３０分であることを示す。
【０１２０】
ステップＳ１１０４：Ｓ−ＧＷが、ユーザ機器の無応答時間が切れる前に、ユーザ機器のダウンリンク・データ通知メッセージの送信を停止する。
【０１２１】
図１２は、ＳＧＳＮにより、パケット・データ・プロトコル（ｐａｃｋｅｔ  ｄａｔａ  ｐｒｏｔｏｃｏｌ，  ＰＤＰ）要求手続きを用いることによりユーザ機器の無応答時間を送信するステップの略流れ図を示す。図１２に示すように、当該プロセスが以下のステップを含んでもよい。
【０１２２】
ステップＳ１２０１：ＳＧＳＮがＰＤＰコンテキスト要求生成メッセージ（ｃｒｅａｔｅ  ＰＤＰ  ｃｏｎｔｅｘｔ  ｒｅｑｕｅｓｔ）をＧＧＳＮに送信する。当該要求はユーザ機器の無応答時間を運搬し、ユーザ機器の最大無応答期間、例えば、３０分を示す。
【０１２３】
ステップＳ１２０２：当該ＧＧＳＮが、ＧＴＰメッセージの再送パラメータＴ３−ＲＥＳＰＯＮＳＥおよび／またはＮ３−ＲＥＱＵＥＳＴＳをユーザ機器の無応答時間に従って調節し、例えば、Ｔ３−ＲＥＳＰＯＮＳＥが３０分より長くなるように調節するかまたはＴ３−ＲＥＳＰＯＮＳＥとＮ３−ＲＥＱＵＥＳＴＳの積が３０分より長くなるように調節する。
【０１２４】
ステップＳ１２０３：当該ＧＧＳＮがＰＤＰコンテキスト応答生成メッセージ（ｃｒｅａｔｅ  ＰＤＰ  ｃｏｎｔｅｘｔ  ｒｅｓｐｏｎｓｅ）をＳＧＳＮに送信する。
【０１２５】
図１３は、ＳＧＳＮにより、パケット・データ・プロトコル（ｐａｃｋｅｔ  ｄａｔａ  ｐｒｏｔｏｃｏｌ，  ＰＤＰ）要求手続きを用いることによりユーザ機器の無応答時間を送信するステップの略流れ図を示す。図１３に示すように、当該プロセスが以下のステップを含んでもよい。
【０１２６】
ステップＳ１３０１：ＧＧＳＮがＰＤＰコンテキスト要求生成メッセージ（ｃｒｅａｔｅ  ＰＤＰ  ｃｏｎｔｅｘｔ  ｒｅｑｕｅｓｔ）をＳＧＳＮに送信する。
【０１２７】
ステップＳ１３０２：ＳＧＳＮがＰＤＰコンテキスト応答生成メッセージ（ｃｒｅａｔｅ  ＰＤＰ  ｃｏｎｔｅｘｔ  ｒｅｓｐｏｎｓｅ）をＧＧＳＮに送信する。当該応答メッセージはユーザ機器の無応答時間を運搬し、ユーザ機器の最大無応答期間、例えば、３０分を示すか、またはユーザ機器が無応答状態を出る時刻が９：００であることを示す。
【０１２８】
ステップＳ１３０３：ＧＧＳＮが、ＧＴＰメッセージの再送パラメータＴ３−ＲＥＳＰＯＮＳＥおよび／またはＮ３−ＲＥＱＵＥＳＴＳをユーザ機器の無応答時間に従って調節し、例えば、Ｔ３−ＲＥＳＰＯＮＳＥが３０分より長くなるように調節するかまたはＴ３−ＲＥＳＰＯＮＳＥとＮ３−ＲＥＱＵＥＳＴＳの積が３０分より長くなるように調節するか、または、当該ＧＴＰメッセージをユーザ機器に送信する時刻を９：００より遅くなるように延期する。
【０１２９】
本明細書では、具体的な例を使用して本発明の原理と実装方式を説明した。当該実施形態の説明は本発明の方法と中心的な思想の理解を支援することを意図したにすぎない。さらに、当業者は、本発明の思想に基づいて、具体的な実装方式と本願の範囲に関して修正を行ってもよい。したがって、本明細書の内容は本発明の限定として解釈されない。
【符号の説明】
【０１３０】
２２  調節モジュール
２２１  第１の調節モジュール
２２２  第２の調節モジュール
２２３  第３の調節モジュール
２２４  第４の調節モジュール
４１  受信器
４２  プロセッサ
６１  取得モジュール
６２  送信モジュール
７１  受信器
７２  送信器
【図１】
0006304786.tif 000002
【図２】
0006304786.tif 000003
【図３】
0006304786.tif 000004
【図４】
0006304786.tif 000005
【図５】
0006304786.tif 000006
【図６】
0006304786.tif 000007
【図７】
0006304786.tif 000008
【図８】
0006304786.tif 000009
【図９】
0006304786.tif 000010
【図１０】
0006304786.tif 000011
【図１１】
0006304786.tif 000012
【図１２】
0006304786.tif 000013
【図１３】
0006304786.tif 000014